(57)【要約】  医師の読影ワークフローを考慮した伝送順で、カプセル型内視鏡が撮影した画像データ群を送信することができるサーバ、内視鏡システム、送信方法およびプログラムを提供する。サーバ８は、複数の症例の各々の画像データ群を複数記録する記録部８２と、端末装置から記録部８２が記録する複数の症例のいずれか一つの症例の画像データ群を選択する選択信号を受信した場合、ユーザが実施する読影ワークフローと端末装置が入力を受け付けた前記操作信号とに基づいて、端末装置の表示部によって表示される画像を閲覧するための送信順を決定して画像データ群を端末装置へ順次送信する送信制御部８３４と、を備える。
2017006618.tif 000002
【特許請求の範囲】
【請求項１】
画像を表示可能な表示部と、各種操作を指示する操作信号の入力を受け付け可能な操作入力部と、を備えた端末装置に対して、ネットワークを介して双方向に通信可能なサーバであって、
複数の被検体の各々を撮影することによって時間的に連続する複数の画像データから構成された画像データ群を複数記録する記録部と、
前記記録部が記録する複数の前記画像データ群のいずれか一つの送信を要求する要求信号を前記端末装置から受信した場合、ユーザが実施する読影ワークフローと前記端末装置が入力を受け付けた前記操作信号とに基づいて、前記表示部によって表示される画像を閲覧するための送信順を決定して前記画像データ群を前記端末装置へ順次送信する送信制御部と、
を備えたことを特徴とするサーバ。
【請求項２】
前記送信制御部は、前記端末装置から前記操作信号を受信していない場合、前記読影ワークフローに従って、前記画像データ群のうち一定の規則に従って生成された画像データを前記端末装置へ順次送信することを特徴とする請求項１に記載のサーバ。
【請求項３】
前記一定の規則は、所定の時間間隔、画像データを撮像した撮影間隔、所定の枚数間隔および前記画像データ群の含まれる複数の特徴的な画像データにおける所定の枚数間隔のいずれか一つ以上であることを特徴とする請求項２に記載のサーバ。
【請求項４】
前記端末装置へ送信する前記一定の規則に従って生成された画像データは、前記被検体を俯瞰的に観察するために生成された平均色バーに対応する位置の画像データであることを特徴とする請求項２に記載のサーバ。
【請求項５】
前記送信制御部は、前記平均色バーに対応する位置の画像データを前記端末装置へ送信した後に、前記平均色バーに対応する位置の画像データにおける撮影時刻より撮影時刻が新しい次の画像データを所定の数だけ前記端末装置へ送信する、または前記平均色バーに対応する位置の画像データの撮影時刻に前後する画像データを所定の数だけ前記端末装置へ送信することを特徴とする請求項４に記載のサーバ。
【請求項６】
前記送信制御部は、前記一定の規則に従って生成された画像データを前記端末装置へ送信した後に、前記画像データ群のうち所定の特徴量を有する特徴的な画像データを前記端末装置へ順次送信することを特徴とする請求項２に記載のサーバ。
【請求項７】
前記送信制御部は、前記一定の規則に従って生成された画像データを前記端末装置へ送信した後に、前記画像データ群のうち赤色を含む画像データを前記端末装置へ順次送信することを特徴とする請求項２に記載のサーバ。
【請求項８】
前記送信制御部は、前記画像データ群のうち所定の画像データを選択する選択信号を前記操作信号として前記端末装置から受信した場合、前記選択信号に応じた画像データを送信するとともに、該画像データの撮影時刻と前後する撮影時刻の画像データを一定の比率で前記端末装置へ順次送信することを特徴とする請求項１に記載のサーバ。
【請求項９】
前記送信制御部は、前記選択信号に応じた画像データの撮影時刻より新しい撮影時刻の画像データを、前記選択信号に応じた画像データの撮影時刻より古い撮影時刻の画像データより多く前記端末装置へ送信することを特徴とする請求項８に記載のサーバ。
【請求項１０】
前記送信制御部は、前記画像データ群のうち特定の条件を満たす画像データを再生する特殊再生モードを指示する指示信号を前記操作信号として前記端末装置から受信した場合、前記画像データ群のうち前記特殊再生モードに応じて抽出された画像データを前記端末装置へ順次送信することを特徴とする請求項１に記載のサーバ。
【請求項１１】
前記特殊再生モードに応じて抽出された画像データは、前記画像データ群のうち所定の特徴量を有する特徴的な画像データであり、
前記送信制御部は、前記被検体を俯瞰的に観察するために生成された平均色バーに対応する位置の画像データの撮影時刻と近い前記特徴的な画像データを順次送信することを特徴とする請求項１０に記載のサーバ。
【請求項１２】
前記送信制御部は、前記表示部が当該サーバから送信された画像データに対応する読影画像を表示している際にコマ送りを指示するコマ送り信号を前記操作信号として前記端末装置から受信した場合、前記読影画像と撮影時刻が前後する２つの画像データをそれぞれ送信するとともに、前記読影画像と前記２つの画像データのうち撮影時刻が後の画像データより撮影時刻が新しい画像データを所定の数だけ前記端末装置へ順次送信することを特徴とする請求項１に記載のサーバ。
【請求項１３】
前記送信制御部は、前記表示部が当該サーバから送信された画像データに対応する読影画像を表示している際にコマ戻りを指示するコマ戻り信号を前記操作信号として前記端末装置から受信した場合、前記読影画像と撮影時刻が前後する２つの画像データをそれぞれ送信するとともに、前記読影画像と前記２つの画像データのうち撮影時刻が前の画像データより撮影時刻が古い画像データを所定の数だけ前記端末装置へ順次送信することを特徴とする請求項１に記載のサーバ。
【請求項１４】
前記画像データ群は、被検体に導入され、該被検体の体内を連続的に撮像するカプセル型内視鏡によって生成されたものであることを特徴とする請求項１に記載のサーバ。
【請求項１５】
被検体に導入され、該被検体の体内を連続的に撮像して時間的に連続する複数の画像データで構成された画像データ群を生成するカプセル型内視鏡と、ネットワークを介して前記カプセル型内視鏡が生成した前記画像データ群を外部へ送信する検査情報管理装置と、前記ネットワークを介して前記画像データ群を受信するサーバと、前記ネットワークを介して前記サーバと双方向に通信可能な端末装置と、を備えた内視鏡システムであって、
前記端末装置は、
画像を表示可能な表示部と、
各種操作を指示する操作信号の入力を受け付け可能な操作入力部と、
を備え、
前記サーバは、
複数の被検体の各々を撮影することによって時間的に連続する複数の画像データから構成された画像データ群を複数記録する記録部と、
前記記録部が記録する複数の前記画像データ群のいずれか一つの送信を要求する要求信号を前記端末装置から受信した場合、ユーザが実施する読影ワークフローと前記端末装置が入力を受け付けた前記操作信号とに基づいて、前記表示部によって表示される画像を閲覧するための送信順を決定して前記画像データ群を前記端末装置へ順次送信する送信制御部と、
を備えたことを特徴とする内視鏡システム。
【請求項１６】
画像を表示可能な表示部と、各種操作を指示する操作信号の入力を受け付け可能な操作入力部と、を備えた端末装置に対して、ネットワークを介して双方向に通信可能なサーバが実行する送信方法であって、
前記端末装置から記録部が記録する複数の画像データ群のいずれか一つの送信を要求する要求信号を受信した場合、ユーザが実施する読影ワークフローと前記端末装置が入力を受け付けた前記操作信号とに基づいて、前記表示部によって表示される画像を閲覧するための送信順を決定して前記画像データ群を前記端末装置へ順次送信する送信制御ステップを含むことを特徴とする送信方法。
【請求項１７】
画像を表示可能な表示部と、各種操作を指示する操作信号の入力を受け付け可能な操作入力部と、を備えた端末装置に対して、ネットワークを介して双方向に通信可能なサーバに、
前記端末装置から記録部が記録する複数の画像データ群のいずれか一つの送信を要求する要求信号を受信した場合、ユーザが実施する読影ワークフローと前記端末装置が入力を受け付けた前記操作信号とに基づいて、前記表示部によって表示される画像を閲覧するための送信順を決定して前記画像データ群を前記端末装置へ順次送信する送信制御ステップを実行させることを特徴とするプログラム。
【発明の詳細な説明】
【技術分野】
【０００１】
本発明は、ネットワークを介して被検体内に導入されたカプセル型内視鏡が撮像して生成した被検体内の画像データ群を外部の端末装置へ送信するサーバ、内視鏡システム、送信方法およびプログラムに関する。
【背景技術】
【０００２】
従来、内視鏡の分野においては、被検体内に導入されて被検体内を撮像するカプセル型内視鏡を用いた検査が知られている。カプセル型内視鏡は、被検体の消化管内に導入可能な大きさに形成されたカプセル形状の筐体内に撮像機能や無線通信機能等を内蔵させた装置であり、被検体の口から飲み込まれた後、蠕動運動等により消化管内を移動しつつ撮像を行って画像データを生成する。生成された画像データは、カプセル型内視鏡から被検体外に順次、無線送信される。【０００３】
カプセル型内視鏡から無線送信された画像データは、被検体外に設けられた受信装置により受信され、内蔵メモリや可搬型メモリに蓄積される。検査終了後、メモリに蓄積された画像データは、ワークステーション等の情報管理装置に転送（ダウンロード）され、所定の画像処理が施される。医療従事者は、このようにして生成された画像を観察することにより被検体の診断を行う。【０００４】
一方、近年においては、画像データや検査情報等の医療情報を管理するネットワークシステムの構築が進められている。このようなネットワークシステムに対して、ネットワークを介して医療画像を含む種々の医療情報を送受信することによって、例えば医療画像を１つの施設で集中管理したり、検査を実施した施設と異なる施設に常駐する専門の医師が医療画像を診断したりといった様々な試みがなされている。【０００５】
例えば、ＣＴおよびＭＲＩの各々で撮影された画像群を記録するサーバと、該サーバと通信可能に接続され、サーバから送信された画像を表示する端末装置と、を備えた画像転送システムが知られている（特許文献１参照）。この技術では、ＣＴで撮影された第１の画像群とＭＲＩで撮影された第２の画像群とを比較しながら診断する場合において、端末装置がＣＴで撮影された第１の画像群を表示しているとき、サーバが端末装置で表示中の画像に基づいて第２の画像群の画像転送順を決定し、この決定した画像転送順で第２の画像群を端末装置に順次送信する。
【先行技術文献】
【特許文献】
【０００６】
【特許文献１】特開２００９−２３０７５５号公報
【発明の概要】
【発明が解決しようとする課題】
【０００７】
ところで、上述した従来のカプセル型内視鏡で撮影された画像データ群を管理するネットワークシステムでは、サーバが端末装置側で指定されたファイルに対応する画像データ群を端末装置へ撮影順に送信していた。このため、上述した従来技術のネットワークシステムでは、検査を実施した施設と異なる施設に常駐する専門の医師がカプセル型内視鏡で撮影された画像を用いて患者を診断する場合、この医師に対する最適な読影ワークフローを考慮した画像の送信を行っているとは限らず、医師が指定した画像データ群の全てが端末装置にダウンロードされるまで患者の読影を行うことができない場合があった。【０００８】
また、近年、携帯可能な端末装置が普及しているが、これらの端末装置では、通信量の制限があるため、全ての画像データをサーバ等から大量にダウンロードする場合、直ぐに通信量が制限を超えてしまう場合があり、ユーザは、通信量を気にしながらダウンロードを行わなければならなかった。【０００９】
本発明は、上記に鑑みてなされたものであって、通信量を意識することなく、医師の読影ワークフローを考慮した伝送順で、カプセル型内視鏡が撮影した画像データ群を送信することができるサーバ、内視鏡システム、送信方法およびプログラムを提供することを目的とする。
【課題を解決するための手段】
【００１０】
上述した課題を解決し、目的を達成するために、本発明に係るサーバは、画像を表示可能な表示部と、各種操作を指示する操作信号の入力を受け付け可能な操作入力部と、を備えた端末装置に対して、ネットワークを介して双方向に通信可能なサーバであって、複数の被検体の各々を撮影することによって時間的に連続する複数の画像データから構成された画像データ群を複数記録する記録部と、前記記録部が記録する複数の前記画像データ群のいずれか一つの送信を要求する要求信号を前記端末装置から受信した場合、ユーザが実施する読影ワークフローと前記端末装置が入力を受け付けた前記操作信号とに基づいて、前記表示部によって表示される画像を閲覧するための最適な送信順で前記画像データ群を前記端末装置へ順次送信する送信制御部と、を備えたことを特徴とする。【００１１】
また、本発明に係るサーバは、上記発明において、前記送信制御部は、前記端末装置から前記操作信号を受信していない場合、前記読影ワークフローに従って、前記画像データ群のうち一定の規則に従って生成された画像データを前記端末装置へ順次送信することを特徴とする。【００１２】
また、本発明に係るサーバは、上記発明において、前記一定の規則は、所定の時間間隔、画像データを撮像した撮影間隔、所定の枚数間隔および前記画像データ群の含まれる複数の特徴的な画像データにおける所定の枚数間隔のいずれか一つ以上であることを特徴とする。【００１３】
また、本発明に係るサーバは、上記発明において、前記端末装置へ送信する前記一定の規則に従って生成された画像データは、前記被検体を俯瞰的に観察するために生成された平均色バーに対応する位置の画像データであることを特徴とする。【００１４】
また、本発明に係るサーバは、上記発明において、前記送信制御部は、前記平均色バーに対応する位置の画像データを前記端末装置へ送信した後に、前記平均色バーに対応する位置の画像データにおける撮影時刻より撮影時刻が新しい次の画像データを所定の数だけ前記端末装置へ送信する、または前記平均色バーに対応する位置の画像データの撮影時刻に前後する画像データを所定の数だけ前記端末装置へ送信することを特徴とする。【００１５】
また、本発明に係るサーバは、上記発明において、前記送信制御部は、前記一定の規則に従って生成された画像データを前記端末装置へ送信した後に、前記画像データ群のうち所定の特徴量を有する特徴的な画像データを前記端末装置へ順次送信することを特徴とする。【００１６】
また、本発明に係るサーバは、上記発明において、前記送信制御部は、前記一定の規則に従って生成された画像データを前記端末装置へ送信した後に、前記画像データ群のうち赤色を含む画像データを前記端末装置へ順次送信することを特徴とする。【００１７】
また、本発明に係るサーバは、上記発明において、前記送信制御部は、前記画像データ群のうち所定の画像データを選択する選択信号を前記操作信号として前記端末装置から受信した場合、前記選択信号に応じた画像データを送信するとともに、該画像データの撮影時刻と前後する撮影時刻の画像データを一定の比率で前記端末装置へ順次送信することを特徴とする。【００１８】
また、本発明に係るサーバは、上記発明において、前記送信制御部は、前記選択信号に応じた画像データの撮影時刻より新しい撮影時刻の画像データを、前記選択信号に応じた画像データの撮影時刻より古い撮影時刻の画像データより多く前記端末装置へ送信することを特徴とする。【００１９】
また、本発明に係るサーバは、上記発明において、前記送信制御部は、前記画像データ群のうち特定の条件を満たす画像データを再生する特殊再生モードを指示する指示信号を前記操作信号として前記端末装置から受信した場合、前記画像データ群のうち前記特殊再生モードに応じて抽出された画像データを前記端末装置へ順次送信することを特徴とする。【００２０】
また、本発明に係るサーバは、上記発明において、前記特殊再生モードに応じて抽出された画像データは、前記画像データ群のうち所定の特徴量を有する特徴的な画像データであり、前記送信制御部は、前記被検体を俯瞰的に観察するために生成された平均色バーに対応する位置の画像データの撮影時刻と近い前記特徴的な画像データを順次送信することを特徴とする。【００２１】
また、本発明に係るサーバは、上記発明において、前記送信制御部は、前記表示部が当該サーバから送信された画像データに対応する読影画像を表示している際にコマ送りを指示するコマ送り信号を前記操作信号として前記端末装置から受信した場合、前記読影画像と撮影時刻が前後する２つの画像データをそれぞれ送信するとともに、前記読影画像と前記２つの画像データのうち撮影時刻が後の画像データより撮影時刻が新しい画像データを所定の数だけ前記端末装置へ順次送信することを特徴とする。【００２２】
また、本発明に係るサーバは、上記発明において、前記送信制御部は、前記表示部が当該サーバから送信された画像データに対応する読影画像を表示している際にコマ戻りを指示するコマ戻り信号を前記操作信号として前記端末装置から受信した場合、前記読影画像と撮影時刻が前後する２つの画像データをそれぞれ送信するとともに、前記読影画像と前記２つの画像データのうち撮影時刻が前の画像データより撮影時刻が古い画像データを所定の数だけ前記端末装置へ順次送信することを特徴とする。【００２３】
また、本発明に係るサーバは、上記発明において、前記画像データ群は、被検体に導入され、該被検体の体内を連続的に撮像するカプセル型内視鏡によって生成されたものであることを特徴とする。【００２４】
また、本発明に係る内視鏡システムは、被検体に導入され、該被検体の体内を連続的に撮像して時間的に連続する複数の画像データで構成された画像データ群を生成するカプセル型内視鏡と、ネットワークを介して前記カプセル型内視鏡が生成した前記画像データ群を外部へ送信する検査情報管理装置と、前記ネットワークを介して前記画像データ群を受信するサーバと、前記ネットワークを介して前記サーバと双方向に通信可能な端末装置と、を備えた内視鏡システムであって、前記端末装置は、画像を表示可能な表示部と、各種操作を指示する操作信号の入力を受け付け可能な操作入力部と、を備え、前記サーバは、複数の被検体の各々を撮影することによって時間的に連続する複数の画像データから構成された画像データ群を複数記録する記録部と、前記記録部が記録する複数の前記画像データ群のいずれか一つの送信を要求する要求信号を前記端末装置から受信した場合、ユーザが実施する読影ワークフローと前記端末装置が入力を受け付けた前記操作信号とに基づいて、前記表示部によって表示される画像を閲覧するための送信順を決定して前記画像データ群を前記端末装置へ順次送信する送信制御部と、を備えたことを特徴とする。【００２５】
また、本発明に係る送信方法は、画像を表示可能な表示部と、各種操作を指示する操作信号の入力を受け付け可能な操作入力部と、を備えた端末装置に対して、ネットワークを介して双方向に通信可能なサーバが実行する送信方法であって、前記端末装置から記録部が記録する複数の画像データ群のいずれか一つの送信を要求する要求信号を受信した場合、ユーザが実施する読影ワークフローと前記端末装置が入力を受け付けた前記操作信号とに基づいて、前記表示部によって表示される画像を閲覧するための送信順を決定して前記画像データ群を前記端末装置へ順次送信する送信制御ステップを含むことを特徴とする。【００２６】
また、本発明に係るプログラムは、画像を表示可能な表示部と、各種操作を指示する操作信号の入力を受け付け可能な操作入力部と、を備えた端末装置に対して、ネットワークを介して双方向に通信可能なサーバに、前記端末装置から記録部が記録する複数の画像データ群のいずれか一つの送信を要求する要求信号を受信した場合、ユーザが実施する読影ワークフローと前記端末装置が入力を受け付けた前記操作信号とに基づいて、前記表示部によって表示される画像を閲覧するための送信順を決定して前記画像データ群を前記端末装置へ順次送信する送信制御ステップを実行させることを特徴とする。
【発明の効果】
【００２７】
本発明によれば、医師の読影ワークフローを考慮した伝送順で、カプセル型内視鏡が撮影した画像データ群を送信することができるという効果を奏する。
【図面の簡単な説明】
【００２８】
【図１】図１は、本発明の一実施の形態に係る内視鏡システムの概略構成を示す模式図である。
【図２】図２は、本発明の一実施の形態に係る端末装置の機能構成を示すブロック図である。
【図３】図３は、本発明の一実施の形態に係るサーバの機能構成を示すブロック図である。
【図４】図４は、本発明の一実施の形態に係るサーバが実行する処理の概要を示すフローチャートである。
【図５】図５は、本発明の一実施の形態に係る端末装置が表示する症例一覧画面の一例を示す図である。
【図６】図６は、本発明の一実施の形態に係る端末装置が表示する読影画面の一例を示す図である。
【図７】図７は、本発明の一実施の形態に係るサーバの送信制御部が端末装置へ送信する画像データ群の送信順の一例を示す模式図である。
【図８Ａ】図８Ａは、本発明の一実施の形態に係る端末装置が表示する読影画面の遷移を模式的に示す図である。
【図８Ｂ】図８Ｂは、本発明の一実施の形態に係る端末装置が表示する読影画面の遷移を模式的に示す図である。
【図８Ｃ】図８Ｃは、本発明の一実施の形態に係る端末装置が表示する読影画面の遷移を模式的に示す図である。
【図９】図９は、本発明の一実施の形態に係るサーバの送信制御部が送信する選択画像周辺の画像データ群の一例を模式的に示す図である。
【図１０】図１０は、本発明の一実施の形態に係るサーバの送信制御部が送信する選択画像周辺の画像データ群の別の一例を模式的に示す図である。
【図１１】図１１は、本発明の一実施の形態に係る端末装置で特徴画像再生モードが選択された場合に送信制御部が送信する特徴画像再生モードに対応する画像データ群の一例を模式的に示す図である。
【図１２】図１２は、本発明の一実施の形態に係る端末装置で特徴画像再生モードが選択された場合に送信制御部が送信する特徴画像再生モードに対応する画像データ群の別の一例を模式的に示す図である。
【図１３】図１３は、本発明の一実施の形態に係る端末装置でレッドモードが選択された場合に送信制御部が送信するレッドモードに対応する画像データ群の別の一例を模式的に示す図である。
【図１４】図１４は、本発明の一実施の形態に係るサーバの送信制御部が送信するコマ送りの画像データ群の一例を模式的に示す図である。
【図１５】図１５は、本発明の一実施の形態に係るサーバの送信制御部が送信するコマ戻りの画像データ群の一例を模式的に示す図である。
【図１６】図１６は、本発明のその他の実施の形態に係るサーバが実行する実再生フレームレートの表示処理の概要を示すフローチャートである。
【図１７】図１７は、本発明のその他の実施の形態に係るサーバが実行する通信速度の算出処理の概要を示すフローチャートである。
【図１８】図１８は、本発明のその他の実施の形態に係る端末装置が実行するサーバからダウンロードした総データ量を表示する表示処理の概要を示すフローチャートである。
【図１９】図１９は、本発明のその他の実施の形態に係るサーバが検査情報管理装置から送信された画像データ群に対して行うデータ削減処理の概要を示すフローチャートである。
【図２０】図２０は、本発明のその他の実施の形態に係る特徴画像判定部の判定のもと記録部に記録する画像の一例を模式的に示す図である。
【図２１】図２１は、本発明のその他の実施の形態に係る特徴画像判定部の判定のもと記録部に記録する画像の別の一例を模式的に示す図である。
【図２２】図２２は、本発明のその他の実施の形態に係る端末装置が実行するデータ削減処理の概要を示すフローチャートである。
【発明を実施するための形態】
【００２９】
以下、本発明の実施の形態に係る内視鏡システムについて、図面を参照しながら説明する。なお、以下の実施の形態により本発明が限定されるものではない。また、各図面の記載において、同一部分には同一の符号を付して示している。
【００３０】
〔内視鏡システムの構成〕
図１は、本発明の一実施の形態に係る内視鏡システムの概略構成を示す模式図である。図１に示す内視鏡システム１は、被検体２内に導入され、被検体２内を撮影することにより画像データを生成し、無線信号に重畳して送信するカプセル型内視鏡３と、カプセル型内視鏡３から送信された無線信号を、被検体２に装着された受信アンテナユニット４を介して受信する受信装置５と、被検体２に対して実施される検査に関する検査情報および検査結果である画像データを管理するとともに、画像データに画像処理を行って画像データに対応する画像を表示する検査情報管理装置６（ワークステーション）と、ネットワークＮ１００を介して外部から検査情報および画像データを取得する端末装置７と、ネットワークＮ１００を介して検査情報管理装置６から送信された検査情報および画像データを記録するとともに、端末装置７から要求された検査情報および画像データを送信するサーバ８と、を備える。検査情報管理装置６、端末装置７およびサーバ８は、ネットワークＮ１００を介して双方向に通信可能に無線または有線によって接続される。
【００３１】
カプセル型内視鏡３は、被検体２内を撮像する撮像機能と、被検体２内を撮影して得られた画像データを含む体内情報を受信アンテナユニット４へ送信する無線通信機能と、を有する。カプセル型内視鏡３は、被検体２内に飲み込まれることによって被検体２内の食道を通過し、消化管腔の蠕動運動によって被検体２の体腔内を移動する。カプセル型内視鏡３は、被検体２の体腔内を移動しながら微小な時間間隔、例えば０．５秒間隔（２ｆｐｓ）で被検体２の体腔内を順次撮像し、撮像した被検体２内の画像データを生成して受信アンテナユニット４へ順次送信する。
【００３２】
受信アンテナユニット４は、受信アンテナ４ａ〜受信アンテナ４ｈを備える。受信アンテナ４ａ〜受信アンテナ４ｈは、カプセル型内視鏡３から無線信号を受信して受信装置５へ送信する。受信アンテナ４ａ〜受信アンテナ４ｈは、ループアンテナやアクティブアンテナを用いて構成される。受信アンテナ４ａ〜受信アンテナ４ｈの各々は、被検体２の体外表面上の所定の位置、例えばカプセル型内視鏡３の通過経路である被検体２の各臓器に対応した位置に取り付けられる。
【００３３】
受信装置５は、受信アンテナ４ａ〜受信アンテナ４ｈを介してカプセル型内視鏡３から送信された無線信号に含まれる被検体２内の画像データを記録または被検体２内の画像データに対応する画像を表示する。受信装置５は、カプセル型内視鏡３の位置情報および時間を示す時間情報等を、受信アンテナ４ａ〜受信アンテナ４ｈを介して受信して画像データに対応付けて記録する。受信装置５は、カプセル型内視鏡３による検査が行われている間、例えば被検体２の口から導入され、消化管内を移動して被検体２内から排出されるまでの間、受信装置ホルダ（図示せず）に収納されて被検体２に携帯される。受信装置５は、カプセル型内視鏡３による検査の終了後、被検体２から取り外され、カプセル型内視鏡３から受信した画像データ等の転送のため、検査情報管理装置６と接続される。また、受信装置５は、カプセル型内視鏡３による検査の終了後、後述する検査情報管理装置６を介さず、ネットワークＮ１００を介してサーバ８へ画像データを送信してもよい。
【００３４】
検査情報管理装置６は、受信装置５を介して取得した被検体２の画像データに対応する画像を表示するとともに、画像データと被検体２の検査情報とを対応付けて記録する。検査情報管理装置６は、受信装置５から画像データ等を読み取るクレードル６１と、キーボードやマウス等の操作入力デバイス６２と、を備える。クレードル６１は、受信装置５が装着された際に、受信装置５から画像データや、この画像データに関連付けられた位置情報、時間情報およびカプセル型内視鏡３の識別情報等の関連情報を取得し、取得した各種情報を検査情報管理装置６へ転送する。操作入力デバイス６２は、ユーザの操作による入力を受け付ける。ユーザは、操作入力デバイス６２を操作しつつ、検査情報管理装置６が表示する被検体２の画像を見ながら、被検体２の生体部位、例えば食道、胃、小腸および大腸等を観察し、被検体２の病変等を診断する。また、検査情報管理装置６は、ネットワークＮ１００を介して受信装置５から取得した画像データと関連情報とを対応付けてサーバ８へ送信する。検査情報管理装置６は、ＣＰＵ（Central  Processing  Unit）、液晶や有機ＥＬ（Electro  Luminescence）等の表示パネルおよび揮発性メモリや不揮発性メモリ等の記録媒体を用いて構成される。
【００３５】
端末装置７は、ネットワークＮ１００を介してサーバ８が記録する複数の被検体２の画像データの画像ファイルの一覧を表示し、ユーザによって選択された画像ファイルの画像データの送信をサーバ８に要求する。端末装置７は、ネットワークＮ１００を介してサーバ８から送信された画像データに対応する画像を表示するとともに、端末装置７で入力を受け付けた操作情報をサーバ８へ送信する。なお、端末装置７の詳細な構成は、後述する。
【００３６】
サーバ８は、ネットワークＮ１００を介して検査情報管理装置６から送信された画像データと関連情報とを対応付けて記録する。また、サーバ８は、ネットワークＮ１００を介して端末装置７から画像ファイルの送信の要求があった場合、端末装置７から要求された画像データを送信する。なお、サーバ８の詳細な構成は、後述する。
【００３７】
〔端末装置の詳細な構成〕
次に、端末装置７の詳細な構成について説明する。図２は、端末装置７の機能構成を示すブロック図である。図２に示す端末装置７は、通信部７１と、表示部７２と、タッチパネル７３と、操作入力部７４と、記録部７５と、端末制御部７６と、を備える。
【００３８】
通信部７１は、端末制御部７６の制御のもと、ネットワークＮ１００を介してサーバ８との間で通信に必要な情報を含む各種データの無線信号を所定のプロトコルに従って送受信する。具体的には、通信部７１は、ネットワークＮ１００を介してカプセル型内視鏡３が生成した被検体２の画像データを格納した画像ファイルをサーバ８から受信（ダウンロード）するとともに、端末装置７で受け付けた各種操作情報をサーバ８へ送信（アップロード）する。通信部７１は、Ｗｉ-Ｆｉ（Wireless  Fidelity）（登録商標）通信、またはＢｌｕｅｔｏｏｔｈ（登録商標）通信を採用している。なお、通信部７１は、Ｗｉ-Ｆｉ通信の他、４Ｇ無線や３Ｇ無線を利用した通信や、ＷｉＭＡＸ（Worldwide  Interoperability  for  Microwave  Access）通信等、他の通信を採用してもよい。
【００３９】
表示部７２は、サーバ８から送信された画像データに対応する画像や端末装置７に関する各種情報を表示する。表示部７２は、液晶または有機ＥＬ（Electro  Luminescence）等の表示パネルを用いて構成される。
【００４０】
タッチパネル７３は、表示部７２の表示画面上に重ねて設けられ、外部からの物体（タッチペンや指）が接触した接触位置（座標情報）を検出し、この検出結果に応じた信号の入力を受け付ける。タッチパネル７３の方式としては、抵抗膜方式、静電容量方式および光学方式のいずれの方式も適用可能である。なお、本実施の形態では、端末装置７にタッチパネル７３を設けているが、これに限定されることなく、タッチパネル７３を省略した構成としてもよい。
【００４１】
操作入力部７４は、端末装置７の各種操作の信号の入力を受け付ける。例えば、操作入力部７４は、端末装置７の電源をオンまたはオフする信号の入力を受け付ける電源ボタン、表示部７２の表示態様を切り替える信号の入力を受け付ける切替ボタン等を用いて構成される。
【００４２】
記録部７５は、Ｆｌａｓｈメモリ、ＲＡＭ（Random  Access  Memory）および記録媒体等を用いて構成され、端末装置７に関する各種情報を記録する。記録部７５は、端末装置７を動作させるためのプログラムを記録するプログラム記録部７５１と、画像データを記録する画像データ記録部７５２と、画像データ、端末装置７の処理中の各種情報等を一時的に記録する一時記録部７５３と、を備える。
【００４３】
端末制御部７６は、端末装置７を構成する各部に対する指示やデータの転送等を行うことによって、端末装置７の動作を制御する。端末制御部７６は、ＣＰＵ（Central  Processing  Unit）等を用いて構成される。端末制御部７６は、表示制御部７６１と、通信制御部７６２、記録制御部７６３と、総データ量算出部７６４と、を有する。
【００４４】
表示制御部７６１は、表示部７２の表示態様を制御する。表示制御部７６１は、ネットワークＮ１００を介してサーバ８から受信した画像データに対応する画像を表示部７２に表示させる。
【００４５】
通信制御部７６２は、通信部７１の通信を制御する。通信制御部７６２はネットワークＮ１００を介してサーバ８との間で通信に必要な情報を含む各種データの無線信号を所定のプロトコルに従って通信部７１に通信させる。
【００４６】
記録制御部７６３は、ネットワークＮ１００を介してサーバ８から受信した症例の画像データ群を一時記録部７５３に一時的に記録するとともに、一時記録部７５３の記録容量が所定の容量を超えた場合、時間的に古い画像データやデータを順次削除する。また、記録制御部７６３は、一時記録部７５３に記録されたサーバ８から受信した症例の画像データ群の記録態様を制御する。具体的には、記録制御部７６３は、一時記録部７５３が記録可能なデータ容量に限界があるため、ユーザが沢山の症例を選択した場合、全ての症例の画像データ群を一時記録部７５３に記録させることが難しいので、一時記録部７５３が記録可能なデータ容量を超えるか否かを判定し、一時記録部７５３が記録可能なデータ容量を超えるとき、記録された時間が最も遅い画像データから順次削除する。この場合、記録制御部７６３は、後述する被検体を俯瞰的に観察するために生成された平均色バーの位置に対応する画像データおよび特徴的な画像データが一時記録部７５３に一時的に記録されているとき、端末装置７の電源がオフ状態または症例を読影するアプリが再起動する等の一定のタイミングまで、この平均色バーの位置に対応する画像データおよび特徴的な画像データを削除せず、他の時間が最も遅い画像データ、例えばコマ送りで使用された画像データ等から順次削除する。さらにまた、記録制御部７６３は、症例毎に優先度や重み付け、例えばサーバ８からダウンロードした新しい画像データ順に重み付けを行い、一時記録部７５３が記録可能なデータ容量を超える場合、優先度や重み付けが低い症例の平均色バーの位置に対応する画像データおよび特徴的な画像データを一時記録部７５３から削除する。
【００４７】
総データ量算出部７６４は、ネットワークＮ１００を介してサーバ８から受信した画像データの総データ量を算出する。また、総データ量算出部７６４は、サーバ８から受信した画像データ群の症例毎（被検体毎）に総データ量を算出する。さらに、総データ量算出部７６４は、サーバ８から受信した画像データ群の症例毎の総データ量を合計した総データ量を算出する。さらにまた、総データ量算出部７６４は、サーバ８から受信した画像データ群の症例毎の総データ量を合計した総データ量をリセットする指示信号が操作入力部７４から入力された場合、総データ量をリセットする。
【００４８】
〔サーバの詳細な構成〕
次に、サーバ８の詳細な構成について説明する。図３は、サーバ８の機能構成を示すブロック図である。図３に示すサーバ８は、通信部８１と、記録部８２と、サーバ制御部８３と、を備える。
【００４９】
通信部８１は、サーバ制御部８３の制御のもと、ネットワークＮ１００を介して検査情報管理装置６または端末装置７等との外部機器との間で通信に必要な情報を含む各種データを所定のプロトコルに従って送受信する。
【００５０】
記録部８２は、Ｆｌａｓｈメモリ、ＲＡＭおよびＨＤＤ等の記録媒体を用いて構成され、サーバ８に関する各種情報および通信部８１を介して受信した画像データや各種情報を記録する。記録部８２は、サーバ８を動作させるためのプログラムを記録するプログラム記録部８２１と、カプセル型内視鏡３が生成した画像データ等を記録する画像データ記録部８２２と、を有する。
【００５１】
サーバ制御部８３は、サーバ８を構成する各部に対する指示やデータの転送等を行うことによって、サーバ８の動作を統括的に制御する。サーバ制御部８３は、平均色バー生成部８３１と、特徴画像判定部８３２と、判定部８３３と、送信制御部８３４と、実再生フレームレート算出部８３５と、通信速度算出部８３６と、を有する。
【００５２】
平均色バー生成部８３１は、カプセル型内視鏡３で生成された一連の画像データ群から時系列に沿って抽出された色情報を時間軸に沿って帯状の平均色バー（イメージ画像）を生成する。具体的には、平均色バー生成部８３１は、画像データ記録部８２２が記録するカプセル型内視鏡３が生成した画像データ群に対して、所定の枚数毎に平均色を算出し、この算出した平均色を時間軸に沿って帯状に並べることによって、被検体２を俯瞰的に観察するために生成された平均色バーを生成する。例えば、平均色バー生成部８３１は、画像データ記録部８２２が記録するカプセル型内視鏡３が生成した画像データ群が１万枚の場合において、この１万枚を１０００ピクセル（Pixel）の平均色バーで表示するとき、１０枚の画像の平均値（平均色）を算出し、この算出した平均値を１ピクセル毎に時間軸に沿って帯状に並べることによって平均色バーを生成する。ここで、被検体２を俯瞰的に観察するとは、被検体２の臓器毎の区分の判別や症例全体の色味の確認、例えば出血の確認、全体の色の確認（全体的にピンクっぽい）、残渣の確認（残渣が多い場合は、緑っぽい）、胆汁の確認（胆汁が多い場合は、黄色っぽい）等である。なお、本実施の形態１では、平均色バー生成部８３１がカプセル型内視鏡３が生成した画像データ群の平均色バーを生成しているが、例えば受信装置５、検査情報管理装置６および端末装置７に平均色バー生成部８３１と同様の機能を持たせることによって、受信装置５、検査情報管理装置６および端末装置７のいずれかによって平均色バーを生成するようにしてもよい。
【００５３】
判定部８３３は、ネットワークＮ１００を介して端末装置７から送信された操作信号の内容を判定する。
【００５４】
送信制御部８３４は、判定部８３３が判定結果に基づいて、画像データ群を端末装置７へ順次送信する。具体的には、送信制御部８３４は、判定部８３３によって端末装置７から記録部８２が記録する複数の画像データ群のいずれか一つの送信を要求する要求信号を受信したと判定された場合、端末装置７で設定された読影ワークフローと前記端末装置が入力を受け付けた前記操作信号とに基づいて、端末装置７の表示部７２によって表示される画像を閲覧するための送信順を決定して記録部８２が記録する画像データ群を端末装置７へ順次送信する。具体的には、送信制御部８３４は、端末装置７から操作信号を受信していない場合、読影ワークフローに従って、画像データ群のうち一定の規則に従って生成された画像データを端末装置７へ順次送信する。ここで、一定の規則とは、所定の時間間隔、画像データを撮像した撮影間隔、所定の枚数間隔、画像データ群に含まれる複数の特徴的な画像データにおける所定の枚数間隔およびカプセル型内視鏡３の移動距離毎のいずれかである。なお、上述した所定の時間間隔、撮影間隔、所定の枚数間隔、複数の特徴的な画像データにおける所定の枚数間隔および移動距離毎の各々は、適宜変更することができ、例えば端末装置７のタッチパネル７３または操作入力部７４の操作によって変更することができる。
【００５５】
ここで、端末装置７で設定された読影ワークフローとは、症例の読影を行う際に画像を再生する再生モードの種別と、画像を再生するフレームレートと、ユーザの識別情報（端末装置７の識別情報）と、読影を行った症例の有無や再生回数等を含む有無情報と、平均色バーにおけるスライドバーの位置情報と、を対応付けた情報である。また、この読影ワークフローに関する情報を端末装置７の記録部７５に記録させてもよいし、サーバ８の記録部８２に記録させてもよい。端末装置７の記録部７５に記録させる場合、端末装置７の通信制御部７６２は、サーバ８にアクセスするとき、記録部７５に記録された読影ワークフローに関する情報をサーバ８へ送信する。また、サーバ８の記録部８２に記録する場合、サーバ８の送信制御部８３４は、アクセスされた端末装置７の識別情報（例えばＩＰアドレス等）に基づいて、このアクセスされた端末装置７に応じた読影ワークフローに関する情報を取得し、取得した読影ワークフローに関する情報および端末装置７から受信した操作信号に従って選択された症例の画像データ群に対して最適な送信順を決定して端末装置７へ順次送信する。
【００５６】
特徴画像判定部８３２は、画像データ記録部８２２が記録するカプセル型内視鏡３が生成した一連の画像データ群に対して、所定の１種類または複数種類の特徴量を算出し、所定の特徴量を有する画像データを特徴的な画像データとして判定する。具体的には、特徴画像判定部８３２は、画像データに対応する体内画像の平均色（ＲＧＢ画素値の成分毎の平均値、ＲＧＢ画素値から算出される色相値・彩度・明度の平均値等）、該平均色の前画像（時系列の直前に撮像された画像）からの変化量、体内画像の平均輝度、該平均輝度の前画像からの変化量、体内画像内の１つまたは複数の特定部分（体内画像の中心、該中心から所定距離にある数点等）における色（ＲＧＢ値、色相値、彩度、明度等）または輝度、上記特定部分における色または輝度の前画像からの変化量、上記特定部分の形状の特定のパターン（例えば、所定の病変部位のパターン）との一致率、前画像との類似度または動きベクトルの大きさ、体内画像において公知の画像処理による検出された部位（体外、粘膜領域または非粘膜領域や臓器の種別（胃、小腸、大腸等））を表すパラメータ、体内画像に対する周波数分析により得られる空間周波数の特定のパターンを表すパラメータ等を特徴量として算出し、この特徴量が閾値を超えた画像データを特徴的な画像データとして判定する。
【００５７】
実再生フレームレート算出部８３５は、端末装置７で表示される画像の実再生フレームレートを算出し、この算出結果を端末装置７へ送信する。
【００５８】
通信速度算出部８３６は、ネットワークＮ１００を介して端末装置７とサーバ８との通信速度を算出し、この算出結果を端末装置７へ送信する。
【００５９】
〔サーバの送信処理〕
次に、医者等のユーザが端末装置７を用いて、ユーザが所望の症例に対し、読影ワークフローに従った読影作業を行う際に、サーバ８がカプセル型内視鏡３で撮影された画像データ群を送信する送信処理について説明する。図４は、サーバ８が実行する処理の概要を示すフローチャートであって、医者等のユーザが端末装置７を用いて、ユーザが所望の症例に対し、読影ワークフローに従った読影作業を行う際に、サーバ８が実行する送信処理のフローチャートである。
【００６０】
図４に示すように、まず、ネットワークＮ１００を介して端末装置７からアクセスがあった場合（ステップＳ１０１：Ｙｅｓ）、サーバ８は、アクセスがあった端末装置７へ記録部８２が記録する症例毎（検査ＩＤと画像データとを対応付けた症例ファイル）の症例一覧データを送信する（ステップＳ１０２）。この場合、端末装置７の表示制御部７６１は、サーバ８から受信した症例一覧データに対応する症例一覧画面を表示部７２に表示させる。
【００６１】
図５は、端末装置７が表示する症例一覧画面の一例を示す図である。図５に示す症例一覧画面Ｂ１には、読影可能な症例の一覧を表示する一覧表示領域Ｗ１と、端末装置７の通信状況を表示する通信状況画像Ｗ２と、端末装置７がサーバ８から画像データを受信する際の通信状況（ダウンロードパフォーマンス）を確認するための指示信号の入力を受け付ける通信状況アイコンＷ３（Traffic  check）と、画像データを格納した画像ファイルをサーバ８へアップロードする指示信号の入力を受け付けるアップロードアイコンＷ４（Upload）と、症例一覧画面Ｂ１を更新する指示信号の入力を受け付ける更新アイコンＷ５（Refresh）と、端末装置７がサーバ８からダウンロードした各症例のデータ量を蓄積した総データ量Ｗ６（Grand  DL  total）と、総データ量のカウントをリセットする指示信号の入力を受け付けるリセットアイコンＷ７（Reset）と、ログアウトを指示する指示信号の入力を受け付けるログアウトアイコンＷ８（Logout）と、が含まれる。
【００６２】
一覧表示領域Ｗ１には、検査ＩＤＷ１１（Exam  ID）と、患者ＩＤＷ１２（Patient  ID）と、患者（被検体）の氏名Ｗ１３（Patient  Name）と、検査実施日Ｗ１４（Scheduled  Date）と、ファイルサイズＷ１５（File  Size）と、画像処理状況Ｗ１６（Image  Processing）と、読影状況Ｗ１７（Reading）と、調査状況Ｗ１８（Report）と、総ダウンロード量Ｗ１９（DL  total）と、が含まれる。症例の読影を行う医者等のユーザは、タッチパネル７３を介して指やタッチペン等でタッチすることにより、所定の症例やアイコンを選択する。また、ユーザは、タッチパネル７３を介してポインタＱ１を操作することにより、所望の症例やアイコンをクリックすることにより選択する。この場合、通信制御部７６２は、通信部７１およびネットワークＮ１００を介してユーザによって複数の症例の中から症例が選択されたことを示す選択信号をサーバ８へ送信する。なお、図５の症例一覧画面Ｂ１においては、患者情報を検査ＩＤＷ１１と、患者ＩＤＷ１２と、患者の氏名Ｗ１３を表示していたが、これに限定されることなく、設定に応じて適宜変更することができ、例えばテキストデータ、文字および記号等で表示するようにしてもよい。  
【００６３】
図４に戻り、ステップＳ１０２以降の説明を続ける。
ステップＳ１０３において、ネットワークＮ１００を介して端末装置７から記録部８２が記録する複数の症例のうちいずれか一つの症例を選択する選択信号（要求信号）を受信した場合（ステップＳ１０３：Ｙｅｓ）、サーバ８は、後述するステップＳ１０４へ移行する。これに対して、ネットワークＮ１００を介して端末装置７から記録部８２が記録する複数の症例のうちいずれか一つの症例を選択する選択信号を受信していない場合（ステップＳ１０３：Ｎｏ）、サーバ８は、後述するステップＳ１２８へ移行する。
【００６４】
ステップＳ１０４において、送信制御部８３４は、ネットワークＮ１００を介して選択信号に応じた症例の平均色バーデータを含む読影画像データを端末装置７へ送信する。
【００６５】
続いて、端末装置７から受信した選択信号に応じた症例が読影を実施済みであると判定部８３３が判定した場合（ステップＳ１０５：Ｙｅｓ）、送信制御部８３４は、端末装置７から受信した選択信号に応じた症例のキャプチャー済み画像データを端末装置７へ送信する（ステップＳ１０６）。ステップＳ１０６の後、サーバ８は、後述するステップＳ１０７へ移行する。これに対して、端末装置７から受信した選択信号に応じた症例が読影を実施済みでないと判定部８３３が判定した場合（ステップＳ１０５：Ｎｏ）、サーバ８は、後述するステップＳ１０７へ移行する。
【００６６】
図６は、端末装置７が表示する読影画面の一例を示す図である。図６に示すように、読影画面Ｂ２には、画像データに対応する画像Ｐを表示する画像領域Ｒと、画像データ群を時系列に沿って順次再生する動画モードを指示する指示信号の入力を受け付ける動画アイコンＡ１と、画像データ群を所定の枚数だけ一覧表示するオーバビューモードを指示する指示信号の入力を受け付けるオーバービューアイコンＡ２と、動画の再生フレームレートを設定する指示信号の入力を受け付けるフレームレートアイコンＡ３と、実再生フレームレートを表示する表示領域Ａ４と（Average  speed）、画像データ群を一枚毎に表示する一枚表示モードを指示する指示信号の入力を受け付ける一枚表示モードアイコンＡ５と、動画のコマを複数同時に表示させる複数表示モードを指示する指示信号の入力を受け付ける複数表示モードアイコンＡ６と、画像データ群に対して特定の条件で抽出した特徴的な画像を表示する特徴画像再生モードを指示する指示信号の入力を受け付ける特徴画像再生モードアイコンＡ７と、画像データ群に対して出血や赤色を含む赤色画像データを抽出して赤色画像を表示する出血モードを指示する指示信号の入力を受け付けるレッドモードアイコンＡ８と、画像が撮影された際のカプセル型内視鏡３の位置を３次元的に模式的に表示する３次元モードを指示する指示信号の入力を受け付ける３次元モードアイコンＡ９と、選択されている再生モードを表示するモード表示領域Ａ１０と、再生される画像データのコマ送りまたはコマ戻りを指示する指示信号の入力を受け付けるコマ指示部Ａ１１と、を含む。
【００６７】
さらに、読影画面Ｂ２には、選択された症例の平均色バーＴ１と、平均色バーＴ１上に対応する画像を選択するスライドバーＴ２と、スライドバーＴ２の時間（選択位置を示すタイムコードＴ３と、選択された症例のダウンロード状況を示すダウンロードバーＴ４と、選択された症例であって、既に読影済みでキャプチャーされたキャプチャー画像Ｃ１〜Ｃ３と、を含む。
【００６８】
さらにまた、フレームレートアイコンＡ３には、フレームレートを下げる指示信号の入力を受け付けるダウンアイコンＡ３１と、フレームレートを上げる指示信号の入力を受け付けるアップアイコンＡ３２と、を含む。さらに、コマ指示部Ａ１１には、画像のコマ送りを指示する指示信号の入力を受け付けるコマ送りアイコンＡ１１１と、画像のコマ戻りを指示する指示信号の入力を受け付けるコマ戻りアイコンＡ１１２と、を含む。
【００６９】
なお、読影画面Ｂ２には、特徴画像再生モードアイコンＡ７およびレッドモードアイコンＡ８の並びに、画像データ群から特徴的な画像データを抽出したり、赤み成分の強い画像データを抽出したりせず、画像データ群の全てを順次再生するノーマルモードを指示する指示信号の入力を受け付けるノーマルモードアイコンおよび画像データ群から所定の条件で抽出された一部の画像データのみを順次再生するオートスピードモード（Auto  Speed  Adjust）を指示する指示信号の入力を受け付けるオートスピードモードアイコンを設けてもよい。この２つのモードの場合、読影画面Ｂ２の画像領域Ｒに選択された症例の画像データ群を全て表示させないので、サーバ８からダウンロードするデータの通信量を抑制することができる。
【００７０】
図４に戻り、ステップＳ１０７以降の説明を続ける。
ステップＳ１０７において、送信制御部８３４は、ネットワークＮ１００を介して端末装置７から受信した選択信号に応じた症例の画像ファイルにおける画像データ群のうち一定の規則に従って生成された画像データを端末装置７へ順次送信する。具体的には、送信制御部８３４は、端末装置７から受信した選択信号に応じた症例の画像ファイルにおける平均色バーに対応する位置の画像データを端末装置７へ送信する。ここで、平均色バーに対応する位置の画像データとは、所定の時間間隔、所定の枚数毎、所定の撮影時間毎およびカプセル型内視鏡３の体内移動距離毎のいずれかである。例えば、送信制御部８３４は、端末装置７で特徴画像再生モードが設定され、画像データ記録部８２２によって記録されたカプセル型内視鏡３が生成した画像データ群が１万枚の場合において、この１万枚を１０００ピクセルの平均色バーＴ１を生成したとき、平均色バーＴ１を構成する１ピクセルを生成するために用いられた１０枚の画像データのうち、特徴画像判定部８３２によって特徴的な画像データであると判定された特徴的な画像データを端末装置７へ送信する。また、送信制御部８３４は、端末装置７でノーマルモードが設定され、画像データ記録部８２２によって記録されたカプセル型内視鏡３が生成した画像データ群が１万枚の場合において、この１万枚を１０００ピクセルの平均色バーＴ１を生成したとき、この平均色バーＴ１を構成する１ピクセルを生成するために用いられた１０枚の画像データのうち最初の画像データ（撮影時刻が最も古い画像データ）である。もちろん、最初の画像データである必要はなく、平均色バーＴ１を構成する１ピクセルを生成するために用いられた所定の枚数の画像データのうちのいずれか１つの画像データであればよい。なお、以下においては、画像データ記録部８２２によって記録されたカプセル型内視鏡３が生成した画像データ群が１万枚の場合において、この１万枚を１０００ピクセルの平均色バーＴ１を生成したとき、送信制御部８３４が送信する平均色バーＴ１に対応する位置の画像データの例について説明する。
【００７１】
図７は、送信制御部８３４が端末装置７へ送信する画像データ群の送信順の一例を示す模式図である。なお、図７においては、横軸が時間を示す。
【００７２】
図７の（ａ）に示すように、送信制御部８３４は、端末装置７から受信した選択信号に応じた症例の画像ファイルにおける画像データ群のうち一定の規則に従って生成された画像データを端末装置７へ順次送信する。例えば、送信制御部８３４は、端末装置７から受信した選択信号に応じた症例の画像ファイルにおける平均色バーに対応する位置の画像Ｐ1に対応する画像データ、画像Ｐ100に対応する画像データ、画像Ｐ200に対応する画像データ、画像Ｐn（ｎ：２５１以上の自然数）に対応する画像データを端末装置７へ順次送信する。この場合、図８Ａに示すように、端末装置７は、表示制御部７６１がサーバ８から受信した画像データの時間（位置）を平均色バーＴ１の区分に対応する時間（異なるハッチングの位置）に反映させてダウンロードバーＴ４を更新して表示する。これにより、ユーザは、選択した症例の現在のダウンロード状況を直感的に把握することができる。
【００７３】
また、図７の（ａ）においては、送信制御部８３４は、端末装置７で選択された症例の平均色バーＴ１に対応する位置の画像データ、例えば１００番目毎に１枚の画像データを送信していたが、例えば画像データ記録部８２２によって記録されたカプセル型内視鏡３が生成した画像データ群が５万枚の場合において、この５万枚を１０００ピクセルの平均色バーを生成するとき、送信制御部８３４が送信する平均色バーＴ１に対応する位置の画像データとして５０番目毎に１枚の画像データを送信するようにしてもよい。
【００７４】
続いて、判定部８３３は、一定枚数毎に画像データ群を端末装置７へ送信済みであるか否かを判定する（ステップＳ１０８）。判定部８３３が一定枚数毎に画像データ群を端末装置７へ送信済みであると判定した場合（ステップＳ１０８：Ｙｅｓ）、サーバ８は、後述するステップＳ１０９へ移行する。これに対して、判定部８３３が一定枚数毎に画像データ群を端末装置７へ送信済みでないと判定した場合（ステップＳ１０８：Ｎｏ）、サーバ８は、この判断を続ける。
【００７５】
ステップＳ１０９において、判定部８３３は、ネットワークＮ１００を介して端末装置７から再生モードを変更する操作信号または再生画像を選択する操作信号を受信したか否かを判定する。判定部８３３がネットワークＮ１００を介して端末装置７から再生モードを変更する操作信号または再生画像を選択する操作信号を受信したと判定した場合（ステップＳ１０９：Ｙｅｓ）、サーバ８は、後述するステップＳ１２０へ移行する。これに対して、判定部８３３がネットワークＮ１００を介して端末装置７から再生モードを変更する操作信号または再生画像を選択する操作信号を受信していないと判定した場合（ステップＳ１０９：Ｎｏ）、サーバ８は、後述するステップＳ１１０へ移行する。
【００７６】
ステップＳ１１０において、判定部８３３は、ネットワークＮ１００を介して後方画像データ群を端末装置７へ送信済みであるか否かを判定する。判定部８３３がネットワークＮ１００を介して後方画像データ群を端末装置７へ送信済みであると判定した場合（ステップＳ１１０：Ｙｅｓ）、サーバ８は、後述するステップＳ１１３へ移行する。これに対して、判定部８３３がネットワークＮ１００を介して後方画像データ群を端末装置７へ送信済みでないと判定した場合（ステップＳ１１０：Ｎｏ）、サーバ８は、後述するステップＳ１１１へ移行する。
【００７７】
ステップＳ１１１において、送信制御部８３４は、通信部８１およびネットワークＮ１００を介して、端末装置７から受信した選択信号に応じた症例の画像ファイルにおける後方画像データ群を端末装置７へ順次送信する。具体的には、図７の（ｂ）に示すように、送信制御部８３４は、端末装置７から受信した選択信号に応じた症例の画像ファイルにおける画像Ｐ１と画像Ｐnとの中間の画像に対応する画像データを端末装置７へ送信する。例えば、送信制御部８３４は、画像Ｐ50に対応する画像データ、画像Ｐ150に対応する画像データ、画像Ｐ250に対応する画像データを端末装置７へ順次送信する。この場合、端末装置７は、表示制御部７６１がサーバ８から受信した画像データの位置を平均色バーＴ１に対応する位置に反映させてダウンロードバーＴ４を更新して表示する。（図８Ａ→図８Ｂ→図８Ｃ）。これにより、ユーザは、選択した症例の現在のダウンロード状況を直感的に把握することができる。
【００７８】
また、図７の（ｂ）において、送信制御部８３４は、平均色バーＴ１に対応する位置の画像データを端末装置７へ送信した後に、画像Ｐ１の撮影時刻より撮影時刻が新しい次の画像Ｐ50に対応する画像データを１つだけ送信していたが、例えば画像Ｐ１の撮影時刻より撮影時刻が新しい次の画像データを所定の数だけ、具体的には２つ以上の画像データを端末装置７へ送信してもよい。さらに、図７の（ｂ）において、送信制御部８３４は、平均色バーＴ１に対応する位置の画像データの撮影時刻に前後する画像データを所定の数だけ多く端末装置７へ送信してもよい。例えば、送信制御部８３４は、１枚ずつ画像を端末装置７へ送信した後に、さらに１枚の画像、その後、さらに１枚の画像と、少しずつ間引き間隔（撮影時刻の間隔）を徐々に狭くして端末装置７へ送信する。
【００７９】
続いて、判定部８３３は、ネットワークＮ１００を介して後方画像データ群を端末装置７へ送信済みであるか否かを判定する（ステップＳ１１２）。判定部８３３がネットワークＮ１００を介して後方画像データ群を端末装置７へ送信済みであると判定した場合（ステップＳ１１２：Ｙｅｓ）、サーバ８は、後述するステップＳ１１３へ移行する。これに対して、判定部８３３がネットワークＮ１００を介して後方画像データ群を端末装置７へ送信済みでないと判定した場合（ステップＳ１１２：Ｎｏ）、サーバ８は、上述したステップＳ１０９へ戻る。
【００８０】
ステップＳ１１３において、判定部８３３は、ネットワークＮ１００を介して端末装置７から受信した選択信号に応じた症例の画像ファイルにおける特徴的な画像データ群を端末装置７へ送信済みであるか否かを判定する。判定部８３３がネットワークＮ１００を介して端末装置７から受信した選択信号に応じた症例の画像ファイルにおける特徴的な画像データ群を端末装置７へ送信済みであると判定した場合（ステップＳ１１３：Ｙｅｓ）、サーバ８は、後述するステップＳ１１６へ移行する。これに対して、判定部８３３がネットワークＮ１００を介して端末装置７から受信した選択信号に応じた症例の画像ファイルにおける特徴的な画像データ群を端末装置７へ送信済みでないと判定した場合（ステップＳ１１３：Ｎｏ）、サーバ８は、後述するステップＳ１１４へ移行する。
【００８１】
ステップＳ１１４において、送信制御部８３４は、ネットワークＮ１００を介して端末装置７から受信した選択信号に応じた症例の画像ファイルにおける特徴的な画像データ群を端末装置７へ順次送信する。具体的には、図７の（ｃ）に示すように、送信制御部８３４は、端末装置７から受信した選択信号に応じた症例の画像ファイルにおける特徴的な画像データ群である画像Ｐ99に対応する画像データ、画像Ｐ101に対応する画像データ、画像Ｐ249に対応する画像データ、画像Ｐ251に対応する画像データおよび画像Ｐ300に対応する画像データを端末装置７へ順次送信する。なお、図７の（ｃ）において、送信制御部８３４は、特徴的な画像データ群が連続していたが、これに限定されず、特徴的な画像データ群を一定間隔毎、例えば特徴的な画像データ群に対して１０枚に１枚の間隔で端末装置７へ送信してもよい。
【００８２】
続いて、判定部８３３は、ネットワークＮ１００を介して端末装置７から受信した選択信号に応じた症例の画像ファイルにおける特徴的な画像データ群を端末装置７へ送信済みであるか否かを判定する（ステップＳ１１５）。判定部８３３がネットワークＮ１００を介して端末装置７から受信した選択信号に応じた症例の画像ファイルにおける特徴的な画像データ群を端末装置７へ送信済みであると判定した場合（ステップＳ１１５：Ｙｅｓ）、サーバ８は、後述するステップＳ１１６へ移行する。これに対して、判定部８３３がネットワークＮ１００を介して端末装置７から受信した選択信号に応じた症例の画像ファイルにおける特徴的な画像データ群を端末装置７へ送信済みでないと判定した場合（ステップＳ１１５：Ｎｏ）、サーバ８は、上述したステップＳ１０９へ戻る。
【００８３】
ステップＳ１１６において、判定部８３３は、ネットワークＮ１００を介して端末装置７から受信した選択信号に応じた症例の画像ファイルにおける赤色画像データ群を端末装置７へ送信済みであるか否かを判定する。判定部８３３がネットワークＮ１００を介して端末装置７から受信した選択信号に応じた症例の画像ファイルにおける赤色画像データ群を端末装置７へ送信済みであると判定した場合（ステップＳ１１６：Ｙｅｓ）、サーバ８は、後述するステップＳ１１９へ移行する。これに対して、判定部８３３がネットワークＮ１００を介して端末装置７から受信した選択信号に応じた症例の画像ファイルにおける赤色画像データ群を端末装置７へ送信済みでないと判定した場合（ステップＳ１１６：Ｎｏ）、サーバ８は、後述するステップＳ１１７へ移行する。
【００８４】
ステップＳ１１７において、送信制御部８３４は、ネットワークＮ１００を介して、端末装置７から受信した選択信号に応じた症例の画像ファイルにおける赤色画像データ群を端末装置７へ順次送信する。具体的には、図７の（ｄ）に示すように、送信制御部８３４は、端末装置７から受信した選択信号に応じた症例の画像ファイルにおける赤色画像データ群である画像Ｐ252に対応する画像データ、画像Ｐ253に対応する画像データを端末装置７へ順次送信する。
【００８５】
続いて、判定部８３３は、ネットワークＮ１００を介して端末装置７から受信した選択信号に応じた症例の画像ファイルにおける赤色画像データ群を端末装置７へ送信済みであるか否かを判定する（ステップＳ１１８）。判定部８３３がネットワークＮ１００を介して端末装置７から受信した選択信号に応じた症例の画像ファイルにおける赤色画像データ群を端末装置７へ送信済みであると判定した場合（ステップＳ１１８：Ｙｅｓ）、サーバ８は、後述するステップＳ１１９へ移行する。これに対して、判定部８３３がネットワークＮ１００を介して端末装置７から受信した選択信号に応じた症例の画像ファイルにおける赤色画像データ群を端末装置７へ送信済みでないと判定した場合（ステップＳ１１８：Ｎｏ）、サーバ８は、上述したステップＳ１０９へ移行する。
【００８６】
ステップＳ１１９において、ネットワークＮ１００を介して端末装置７から選択信号に応じた症例の画像ファイルにおける読影の終了を指示する終了信号を受信した場合（ステップＳ１１９：Ｙｅｓ）、サーバ８は、本処理を終了する。これに対して、ネットワークＮ１００を介して端末装置７から選択信号に応じた症例の画像ファイルにおける読影の終了を指示する終了信号を受信していない場合（ステップＳ１１９：Ｎｏ）、サーバ８は、上述したステップＳ１０９へ戻る。
【００８７】
ステップＳ１２０において、判定部８３３は、ネットワークＮ１００を介して端末装置７から受信した操作信号が選択画像の変更であるか否かを判定する。判定部８３３がネットワークＮ１００を介して端末装置７から受信した操作信号が選択画像の変更であると判定した場合（ステップＳ１２０：Ｙｅｓ）、サーバ８は、後述するステップＳ１２１へ移行する。これに対して、判定部８３３がネットワークＮ１００を介して端末装置７から受信した操作信号が選択画像の変更でないと判定した場合（ステップＳ１２０：Ｎｏ）、サーバ８は、後述するステップＳ１２２へ移行する。
【００８８】
ステップＳ１２１において、送信制御部８３４は、操作信号に応じて選択された選択画像周辺の画像データ群を端末装置７へ送信する。具体的には、ユーザがタッチパネル７３または操作入力部７４を介して平均色バーＴ１のスライドバーＴ２を所望の位置にスライドさせることによって、端末装置７から選択画像の変更を指示する操作信号をサーバ８が受信した場合、送信制御部８３４は、操作信号に応じて選択された選択画像周辺の画像データ群を端末装置７へ送信する。ステップＳ１２１の後、サーバ８は、ステップＳ１１９へ移行する。
【００８９】
図９は、サーバ８の送信制御部８３４が送信する選択画像周辺の画像データ群の一例を模式的に示す図である。図０において横軸が時間を示す。
【００９０】
図９に示すように、送信制御部８３４は、端末装置７から受信した操作信号に応じて選択された選択画像が画像Ｐj（ｊ：自然数）の場合、画像Ｐjの画像データを送信するとともに、画像Ｐjの画像データの撮影時刻と前後する撮影時刻の画像データを一定の比率で端末装置７へ順次送信する。具体的には、送信制御部８３４は、画像Ｐjの画像データの撮影時刻を基準に撮影時刻が新しい画像データの数が多くなる比率、例えば１：９の比率で端末装置７へ送信する。例えば、画像Ｐjの画像データを端末装置７へ送信した後に、画像Ｐjより撮影時刻が古い１枚の画像Ｐj-1に対応する画像データおよび画像Ｐjより撮影時刻が新しい９枚の画像Ｐj+1〜画像Ｐj+9における各々の画像データを端末装置７へ送信する。この場合、送信制御部８３４は、画像Ｐj+1に対応する画像データを送信した後に、画像Ｐj-1に対応する画像データを送信する。その後、画像Ｐj+2〜画像Ｐj+10の各々の画像データを端末装置７へ順次送信する。これにより、ユーザが所望する画像データ群を送信することができるので、ユーザが所望する画像における撮影時刻の前後間の画像データを敏速に閲覧することができる。なお、図９において、送信制御部８３４は、画像Ｐjの画像データを送信するとともに、画像Ｐjの画像データの撮影時刻と前後する撮影時刻の画像データを１：９の比率で端末装置７へ送信していたが、この比率を適宜変更することができる。具体的には、送信制御部８３４は、端末装置７のタッチパネル７３または操作入力部７４を介してユーザが上述した比率を変更した場合、例えば１：９から１：４に変更した場合、この１：４の比率で端末装置７から受信した操作信号に応じて選択された選択画像の画像データの撮影時刻と前後する撮影時刻の画像データを端末装置７へ送信してもよい。
【００９１】
図１０は、送信制御部８３４が送信する選択画像周辺の画像データ群の別の一例を模式的に示す図である。なお、図１０において、送信制御部８３４が送信する送信順を括弧の中の数字で表す。
【００９２】
図１０に示すように、送信制御部８３４は、平均色バーＴ１に対応する位置の画像データ群を送信した後に、スライドバーＴ２の位置に対応する選択画像において撮影時刻が前後する画像データ群を送信する。続いて、送信制御部８３４は、特徴的な画像データ群を送信する。具体的には、図１０に示すように、送信制御部８３４は、平均色バーＴ１に対応する位置の画像Ｐ1（１）、画像Ｐ11（２）、画像Ｐ21（３）、画像Ｐ31（４）および画像Ｐ41（５）の各々の画像データを順次送信した後に（図１０の（ａ）→図１０の（ｂ））、スライドバーＴ２によって選択された画像Ｐ21（３）における撮影時刻が前後する画像Ｐ22（６）、画像Ｐ20（７）、画像Ｐ23（８）、画像Ｐ24（９）および画像Ｐ25（１０）の各々を順次送信する（図１０の（ｂ）→図１０（ｃ））。続いて、送信制御部８３４は、スライドバーＴ２によって選択された画像Ｐ21（３）より撮影時刻が新しい（未来の画像）の特徴的な画像Ｐ26（１１）、画像Ｐ29（１２）、画像Ｐ35（１３）および画像Ｐ38（１４）の各々の画像データを順次送信する。これにより、ユーザが所望する画像データ群を送信することができるとともに、スライドバーＴ２によって選択された画像Ｐ21（３）から再生モードが切り替えられた場合であっても、瞬時に特徴的な画像の表示を行うことができる。なお、図１０において、送信制御部８３４は、スライドバーＴ２によって選択された画像の撮影時刻が前後する画像を１：４の比率で端末装置７へ送信していたが、例えば２：３の比率で画像データを順次送信してもよい。この場合、送信制御部８３４は、撮影時刻が前後する画像データを交互に端末装置７へ送信するようにすればよい。また、送信制御部８３４は、スライドバーＴ２によって選択された画像の撮影時刻が前後する画像のうち、スライドバーＴ２によって選択された画像の撮影時刻より撮影画像が古い画像の画像データが端末装置７へ送信済みである場合、スライドバーＴ２によって選択された画像の撮影時刻より撮影時刻が新しい画像データの比率を順次送信するようにすればよい。
【００９３】
図４に戻り、ステップＳ１２２以降の説明を続ける。
ステップＳ１２２において、判定部８３３は、ネットワークＮ１００を介して端末装置７から受信した操作信号が再生モードの変更であるか否かを判定する。判定部８３３がネットワークＮ１００を介して端末装置７から受信した操作信号が再生モードの変更であると判定した場合（ステップＳ１２２：Ｙｅｓ）、サーバ８は、後述するステップＳ１２３へ移行する。これに対して、判定部８３３がネットワークＮ１００を介して端末装置７から受信した操作信号が再生モードの変更でないと判定した場合（ステップＳ１２２：Ｎｏ）、サーバ８は、後述するステップＳ１２４へ移行する。
【００９４】
ステップＳ１２３において、送信制御部８３４は、操作信号に応じて選択された再生モードに応じた画像データ群を端末装置７へ送信する。具体的には、ユーザがタッチパネル７３または操作入力部７４を介して特徴画像再生モードが選択された場合、送信制御部８３４は、特徴画像再生モードに対応する画像データ群を端末装置７へ順次送信し、レッドモードが選択された場合、レッドモードに対応する画像データ群を端末装置７へ順次送信する。ステップＳ１２３の後、サーバ８は、ステップＳ１１９へ移行する。
【００９５】
図１１は、端末装置７で特徴画像再生モードが選択された場合に送信制御部８３４が送信する特徴画像再生モードに対応する画像データ群の一例を模式的に示す図である。図１１において、横軸が時間を示す。
【００９６】
図１１に示すように、送信制御部８３４は、端末装置７で特徴画像再生モードが選択された場合、症例の画像ファイルにおいて特徴画像判定部８３２が所定の特徴量を有すると判定された特徴的な画像データ群を端末装置７へ順次送信する。例えば、図１１に示すように、送信制御部８３４は、症例の画像ファイルにおいて特徴画像判定部８３２が所定の特徴量を有すると判定された特徴的な画像Ｐ1、画像Ｐ10、画像Ｐ50、画像Ｐ53、画像Ｐ100、画像Ｐ121、画像Ｐ200の各々の画像データ群を端末装置７へ順次送信する。これにより、ユーザが所望する特徴画像再生モードの画像データ群を敏速に端末装置７へ送信することができる。この結果、ユーザは、症例の読影を速やかに行うことができる。
【００９７】
図１２は、端末装置７で特徴画像再生モードが選択された場合に送信制御部８３４が送信する特徴画像再生モードに対応する画像データ群の別の一例を模式的に示す図である。図１２において、送信制御部８３４が送信する送信順を括弧の中の数字で表す。
【００９８】
図１２に示すように、送信制御部８３４は、端末装置７で特徴画像再生モードが選択された場合、平均色バーＴ１に対応する位置の画像（図１０の（ｂ）を参照）に近い特徴的な画像データを優先して端末装置７へ送信する。具体的には、送信制御部８３４は、平均色バーＴ１に対応する位置の画像Ｐ1、画像Ｐ11、画像Ｐ21、画像Ｐ31および画像Ｐ41に近い特徴的な画像に対応する画像データ、例えば画像Ｐ3（１）、画像Ｐ12（２）、画像Ｐ22（３）、画像Ｐ31（４）および画像Ｐ43（５）の各々の画像データを順次送信した後に、送信した特徴的な画像であって、平均色バーＴ１に対応する位置の画像Ｐ1、画像Ｐ11、画像Ｐ21、画像Ｐ31および画像Ｐ41のいずれかに近傍する特徴的な画像、例えば画像Ｐ26（６）、画像Ｐ15（７）、画像Ｐ29（８）、画像Ｐ35（９）、画像Ｐ38（１０）および画像Ｐ47（１１）の各々の画像データを端末装置７へ送信する（図１２の（ａ）→図１２の（ｂ））。これにより、平均色バーＴ１に対応する位置の画像に近い特徴的な画像データを優先して送信することで、特徴画像再生モードによる症例の読影を遅延なく速やかに行うことができる。
【００９９】
図１３は、端末装置７でレッドモードが選択された場合に送信制御部８３４が送信するレッドモードに対応する画像データ群の一例を模式的に示す図である。図１３において、横軸が時間を示す。
【０１００】
図１３に示すように、送信制御部８３４は、端末装置７でレッドモードが選択された場合、症例の画像ファイルにおける赤色画像データ群を端末装置７へ順次送信する。具体的には、図１３に示すように、送信制御部８３４は、症例の画像ファイル内における赤色画像Ｐ1、画像Ｐ100、画像Ｐ200、画像Ｐ250、画像Ｐ400の各々の赤色画像データを端末装置７へ順次送信する。これにより、ユーザが所望するレッドモードの画像データ群を敏速に端末装置７へ送信することができる。この結果、ユーザは、症例の読影を速やかに行うことができる。
【０１０１】
図４に戻り、ステップＳ１２４以降の説明を続ける。
ステップＳ１２４において、ユーザが端末装置７のタッチパネル７３または操作入力部７４を操作することにより、ネットワークＮ１００を介して端末装置７から受信した操作信号が画像のコマ送りを指示する指示信号であった場合（ステップＳ１２４：Ｙｅｓ）、サーバ８は、後述するステップＳ１２５へ移行する。これに対して、ネットワークＮ１００を介して端末装置７から受信した操作信号が画像のコマ送りを指示する指示信号でなかった場合（ステップＳ１２４：Ｎｏ）、サーバ８は、後述するステップＳ１２６へ移行する。
【０１０２】
ステップＳ１２５において、送信制御部８３４は、コマ送り側を優先して画像データを端末装置７へ送信する。ステップＳ１２５の後、サーバ８は、ステップＳ１１９へ移行する。
【０１０３】
図１４は、送信制御部８３４が送信するコマ送りの画像データ群の一例を模式的に示す図である。なお、図１４では、端末装置７で特徴画像再生モードが選択された後に、コマ送りアイコンＡ１１１が操作された場合に送信制御部８３４が送信するコマ送りの画像データの一例を示す。また、図１４においては、送信制御部８３４が送信する送信順を括弧の中の数字で表す。さらに、図１４において、説明を簡略化するため、送信制御部８３４が送信する送信順、比率および枚数は、あくまでも例示にすぎず、適宜変更することができる。
【０１０４】
図１４に示すように、送信制御部８３４は、平均色バーＴ１に対応する位置の画像（図１０の（ｂ）を参照）に近い特徴的な画像Ｐ3（１）、画像Ｐ12（２）、画像Ｐ22（３）、画像Ｐ31（４）および画像Ｐ43（５）を送信した後に、ネットワークＮ１００を介して端末装置７から受信した操作信号が画像のコマ送りを指示する指示信号を受信した場合、コマ送りに必要な画像データを優先して送信する。具体的には、送信制御部８３４は、表示部７２が画像Ｐ22（３）を表示している際に、コマ送りアイコンＡ１１１が操作された場合、画像Ｐ22（３）の撮影時刻を基準に撮影時刻が前後する特徴的な画像データを一定の比率、例えば１：４の比率になるように画像Ｐ26（６）、画像Ｐ15（７）、画像Ｐ29（８）、画像Ｐ35（９）および画像Ｐ38（１０）の各々の画像データを端末装置７へ送信する（図１４の（ａ）→図１４の（ｂ））。
【０１０５】
その後、送信制御部８３４は、ネットワークＮ１００を介して端末装置７から受信した操作信号が画像のコマ送りを指示する指示信号を受信した場合、ユーザが画像Ｐ22（３）の撮影時刻より新しい撮影時刻（前方方向）の方へスライドバーＴ２を移動させたり、コマ送りアイコンＡ１１１が連続的に操作させたりする可能性が高いので、画像Ｐ22（３）の撮影時刻を基準に撮影時刻が新しい画像データの数が多くなる比率、例えば１：４の比率で画像Ｐ22（３）を基準に撮影時刻が新しい画像データの数を多くして、コマ送りに必要な画像データを優先して送信する。具体的には、送信制御部８３４は、画像Ｐ22（３）を基準に撮影時刻が新しい４コマ（４枚）の画像Ｐ23（１１）、画像Ｐ24（１２）、画像Ｐ25（１３）、画像Ｐ27（１４）の各々の画像データを優先して端末装置７へ送信するとともに、画像Ｐ22（３）から撮影時刻が古い１コマ（１枚）の画像データを他の画像データ群より優先して端末装置７へ送信する（図１４の（ｂ）→図１４の（ｃ））。なお、図１４の（ｃ）においては、既に画像Ｐ22（３）の画像データが端末装置７へ送信されているため、送信制御部８３４は、画像Ｐ22（３）の撮影時刻より古い画像の画像データ、例えば画像Ｐ21の画像データを送信するようにしてもよい。これにより、サーバ８は、コマ送りに必要な画像データを遅延なく送信することができる。この結果、ユーザは、頻繁に画像の閲覧順を変更するような読影ワークフローであっても、コマ送りで症例の読影を速やかに行うことができる。
【０１０６】
また、図１４においては、説明を簡略化するため、コマ送りアイコンＡ１１１が操作された場合、送信制御部８３４が画像Ｐ22（３）の撮影時刻を基準に撮影時刻が前後する特徴的な画像データおよび画像データの各々を１：４の比率で端末装置７へ送信していたが、この比率や送信する画像データの数は適宜変更することができる。例えば、送信制御部８３４が画像Ｐ22（３）の撮影時刻を基準に撮影時刻が前後する画像データの各々を２：５の比率になるように撮影時刻が古い画像データと撮影時刻が新しい画像データとの数を調整して端末装置７へ送信するようにしてもよい。さらに、図１４においては、コマ送りアイコンＡ１１１が操作された場合、送信制御部８３４が画像Ｐ22（３）の撮影時刻を基準に撮影時刻が前後し、かつ互いに撮影時刻が隣接する画像Ｐ23（１１）、画像Ｐ24（１２）、画像Ｐ25（１３）、画像Ｐ27（１４）および画像Ｐ22（３）の各々の画像データを送信していたが、例えば所定の時間間隔で前後する画像データまたは特徴的な画像データを端末装置７へ送信するようにしてもよい。
【０１０７】
上述したコマ送りの送信状況下において、端末装置７の記録制御部７６３は、画像Ｐ23（１１）、画像Ｐ24（１２）、画像Ｐ25（１３）、画像Ｐ27（１４）の各々の画像データを端末装置７の一時記録部７５３に一時的に記録する。その後、端末装置７の記録制御部７６３は、再度、読影中の症例ファイル内において、再度、コマ送りが選択され、一時記録部７５３が記録可能なデータ容量を超える場合、記録された時間が最も遅い画像データから順次削除するようにしてもよい。このとき、端末装置７の記録制御部７６３は、平均色バーＴ１の位置に対応する画像データおよび特徴的な画像データが一時記録部７５３に一時的に記録されている場合、平均色バーＴ１の位置に対応する画像データおよび特徴的な画像データを削除せず、他の時間が最も遅い画像データから順次削除する。これにより、ユーザが再生モードを切り替えた場合であって、端末装置７の一時記録部７５３に平均色バーＴ１の時間に対応する画像データおよび特徴的な画像データが記録されているので、サーバ８からダウンロードすることなく、速やかに症例の読影を行うことができる。また、端末装置７の表示制御部７６１は、一時記録部７５３に記録された画像データに基づいて、既にユーザが読影を行った画像データに対応する画像を識別可能、例えばマークや文字等を付加して表示部７２に表示させてもよい。さらに、端末装置７の表示制御部７６１は、既にユーザが読影を行った画像データに対応する画像を識別できるように平均色バーＴ１の近傍に読影済みであることを示す情報、例えばバーやマークを表示部７２に表示させてもよい。もちろん、端末装置７の表示制御部７６１は、既にユーザが読影を行った画像データに対応する画像をハイライト表示したり、強調表示したりして表示部７２に表示させてもよい。
【０１０８】
図４に戻り、ステップＳ１２６以降の説明を続ける。
ステップＳ１２６において、ユーザが端末装置７のタッチパネル７３または操作入力部７４を操作することにより、ネットワークＮ１００を介して端末装置７から受信した操作信号が画像のコマ戻りを指示する指示信号であった場合（ステップＳ１２６：Ｙｅｓ）、サーバ８は、後述するステップＳ１２７へ移行する。これに対して、ネットワークＮ１００を介して端末装置７から受信した操作信号が画像のコマ戻りを指示する指示信号でなかった場合（ステップＳ１２６：Ｎｏ）、サーバ８は、後述するステップＳ１１９へ移行する。
【０１０９】
ステップＳ１２７において、送信制御部８３４は、コマ戻り側を優先して画像データを端末装置７へ送信する。ステップＳ１２７の後、サーバ８は、ステップＳ１１９へ移行する。
【０１１０】
図１５は、送信制御部８３４が送信するコマ戻りの画像データ群の一例を模式的に示す図である。なお、図１５では、端末装置７で特徴画像再生モードが選択された後に、コマ戻りアイコンＡ１１２が操作された場合に送信制御部８３４が送信するコマ戻りの画像データの一例を示す。また、図１５においては、送信制御部８３４が送信する送信順を括弧の中の数字で表す。さらに、図１５において、説明を簡略化するため、送信制御部８３４が送信する送信順、比率および枚数は、あくまでも例示にすぎず、適宜変更することができる。
【０１１１】
図１５に示すように、送信制御部８３４は、平均色バーＴ１に対応する位置の画像（図１０の（ｂ）を参照）に近い特徴的な画像Ｐ3（１）、画像Ｐ12（２）、画像Ｐ22（３）、画像Ｐ31（４）および画像Ｐ43（５）を送信した後に、ネットワークＮ１００を介して端末装置７から受信した操作信号が画像のコマ戻りを指示する指示信号を受信した場合、コマ送りに必要な画像データを優先して送信する。具体的には、送信制御部８３４は、表示部７２が画像Ｐ22（３）を表示している際に、コマ戻りアイコンＡ１１２が操作された場合、画像Ｐ22（３）の撮影時刻を基準に撮影時刻が前後する特徴的な画像データを一定の比率、例えば１：４の比率になるように画像Ｐ26（６）、画像Ｐ15（７）、画像Ｐ29（８）、画像Ｐ35（９）および画像Ｐ38（１０）の各々の画像データを端末装置７へ送信する（図１５の（ａ）→図１５の（ｂ））。
【０１１２】
その後、送信制御部８３４は、ネットワークＮ１００を介して端末装置７から受信した操作信号が画像のコマ戻りを指示する指示信号を受信した場合、ユーザが画像Ｐ22（３）の撮影時刻より古い撮影時刻（後方方向）の方へスライドバーＴ２を移動させたり、コマ戻りアイコンＡ１１２が連続的に操作させたりすることによって、画像Ｐ22（３）の撮影時刻より前の画像に戻す可能性が高いので、画像Ｐ22（３）の撮影時刻を基準に撮影時刻が前後する画像データを送信する比率を、例えば１：１とし、コマ送りの時と比べて画像Ｐ22（３）の撮影時刻より古い画像データの数を多くして、コマ戻りに必要な画像データを優先して送信する。具体的には、送信制御部８３４は、表示部７２が画像Ｐ21（１１）を表示している際に、コマ戻りアイコンＡ１１２が操作された場合、画像Ｐ21（１１）の２コマ（２枚）前の画像Ｐ20（１２）、画像Ｐ19（１３）の各々の画像データを送信するとともに、画像Ｐ21（１１）より２コマ（２枚）後の画像Ｐ22（３）（既に送信済み画像データ）、画像Ｐ23（１４）の各々の画像データを他の画像データ群より優先して端末装置７へ順次送信する（図１５の（ｂ）→図１５の（ｃ））。これにより、サーバ８は、コマ戻りに必要な画像データを遅延なく送信することができる。この結果、ユーザは、コマ戻りで症例の読影を速やかに行うことができる。
【０１１３】
また、図１５においては、説明を簡略化するため、コマ戻りアイコンＡ１１２が操作された場合、送信制御部８３４が画像Ｐ22（３）の撮影時刻を基準に撮影時刻が前後する特徴的な画像データおよび画像データの各々を１：１の比率で端末装置７へ送信していたが、この比率や送信する画像データの数は適宜変更することができる。例えば、送信制御部８３４が画像Ｐ22（３）の撮影時刻を基準に撮影時刻が前後する画像データの各々を３：２の比率になるように撮影時刻が古い画像データと撮影時刻が新しい画像データとの数を調整して端末装置７へ送信するようにしてもよい。さらに、図１５においては、コマ戻りアイコンＡ１１２が操作された場合、送信制御部８３４が画像Ｐ22（３）の撮影時刻を基準に撮影時刻が前後し、かつ互いに撮影時刻が隣接する画像Ｐ21（１１）、画像Ｐ20（１２）、画像Ｐ19（１３）、画像Ｐ23（１４）および画像Ｐ22（３）の各々の画像データを送信していたが、例えば所定の時間間隔で前後する画像データまたは特徴的な画像データを端末装置７へ送信するようにしてもよい。
【０１１４】
図４に戻り説明を続ける。
ステップＳ１０３において、ネットワークＮ１００および通信部８１を介して選択信号を受信していない場合（ステップＳ１０３：Ｎｏ）について説明する。この場合、サーバ８は、ステップＳ１２８へ移行する。
【０１１５】
続いて、ネットワークＮ１００を介して端末装置７からログアウトを指示する指示信号が入力されたとき（ステップＳ１２８：Ｙｅｓ）、サーバ８は、本処理を終了する。この場合、端末装置７の記録制御部７６３は、一時記録部７５３に記録された症例の画像データを一時記録部７５３から削除しなくてもよい。これにより、再度、ユーザが端末装置７を用いて同じ症例の読影を行う場合において、この選択された症例の画像データが一時記録部７５３に記録されているとき、端末装置７とサーバ８との間で通信を行うことなく、表示制御部７６１が一時記録部７５３に記録された症例の画像データ群を表示部７２に表示させることで、症例の読影を行うことができる。この結果、読影を行う症例の画像データ群を遅延なく再生して表示することができるとともに、通信費を抑制することができる。
【０１１６】
また、端末装置７の記録制御部７６３は、一時記録部７５３が記録可能なデータ容量に限界があるため、ユーザが沢山の症例を選択した場合、全ての症例の画像データ群を一時記録部７５３に記録させることが難しいので、一時記録部７５３が記録可能なデータ容量を超えるとき、記録された時間が最も遅い画像データから順次削除するようにしてもよい。この場合、端末装置７の記録制御部７６３は、平均色バーＴ１の位置に対応する画像データおよび特徴的な画像データが一時記録部７５３に一時的に記録されているとき、端末装置７の電源がオフ状態または症例を読影するアプリが再起動する等の一定のタイミングまで、平均色バーＴ１の位置に対応する画像データおよび特徴的な画像データを削除せず、他の時間が最も遅い画像データ、例えばコマ送りで使用された画像データ等から順次削除する。もちろん、端末装置７の記録制御部７６３は、症例毎に優先度や重み付け、例えばサーバ８からダウンロードした新しい順に重み付けを行い、一時記録部７５３が記録可能なデータ容量を超える場合、優先度や重み付けが低い症例の平均色バーＴ１の位置に対応する画像データおよび特徴的な画像データを一時記録部７５３から削除してもよい。
【０１１７】
ステップＳ１２８において、ネットワークＮ１００を介して端末装置７からログアウトを指示する指示信号が入力されていないとき（ステップＳ１２８：Ｎｏ）、サーバ８は、上述したステップＳ１０３へ戻る。
【０１１８】
このように症例の読影ワークフロー時において、サーバ８は、判定部８３３がネットワークＮ１００を介して端末装置７から送信された操作信号の内容を判定し、送信制御部８３４が判定部８３３の判定結果に基づいて、端末装置７で選択された症例の画像ファイルにおける画像データ群を最適な順番で端末装置７へ順次送信する。これにより、ユーザが選択した症例の画像ファイルの画像データ群をユーザの読影ワークフローに従って画像の表示遅延を抑制することができる。
【０１１９】
以上説明した本発明の一実施の形態によれば、送信制御部８３４が端末装置７から記録部８２が記録する複数の画像データ群のいずれか一つの送信を要求する要求信号を受信した場合、端末装置７で設定された読影ワークフローと端末装置７が入力を受け付けた操作信号とに基づいて、端末装置７の表示部７２によって表示される画像を閲覧するための最適な送信順で画像データ群を端末装置７へ順次送信するので、通信速度が不安定で低速な回線を経由して大容量の画像データをダウンロードする場合であっても、医師の読影ワークフローを考慮した伝送順で、カプセル型内視鏡が撮影した画像データ群を送信することができるので、読影を行う症例の画像データ群を遅延なく再生して表示することができるとともに、通信費を抑制することができる。
【０１２０】
また、本発明の一実施の形態によれば、端末装置７から操作信号を受信していない場合、ユーザが実施する読影ワークフローに従って、送信制御部８３４が画像データ群のうち一定の規則に従って生成された画像データを端末装置７へ順次送信することによって、画像データ群の全体を俯瞰しながら閲覧する場合において、症例の読影に必要または重要な画像データを優先的に送信するので、大容量の画像データ群を不連続かつ高速に閲覧する読影ワークフローを行うときであっても、医者等のユーザが遅延なく閲覧することができる。
【０１２１】
また、本発明の一実施の形態によれば、送信制御部８３４が複数の画像データのうち平均色バーＴ１に対応する位置の画像データを他の画像データに比して優先的に端末装置７へ順次送信するので、頻繁に画像の閲覧順を変更するような読影ワークフローであっても、医者等のユーザが遅延なく閲覧することができるので、読影作業を効率的に行うことができる。
【０１２２】
また、本発明の一実施の形態によれば、送信制御部８３４が平均色バーＴ１に対応する位置の画像データを端末装置７へ送信した後に、平均色バーＴ１に対応する位置の画像データにおける撮影時刻より撮影時刻が新しい次の画像データを所定の数だけ端末装置７へ送信する、または平均色バーＴ１に対応する位置の画像データの撮影時刻に前後する画像データを所定の比率で端末装置７へ送信するので、頻繁に画像の閲覧順を変更するような読影ワークフローであっても、医者等のユーザが遅延なく閲覧することができるので、読影作業を効率的に行うことができる。
【０１２３】
また、本発明の一実施の形態によれば、送信制御部８３４が平均色バーＴ１に対応する位置の画像データを端末装置７へ送信した後に、画像データ群のうち所定の特徴量を有する特徴的な画像データを順次送信し、かつ、特徴的な画像データを送信した後に赤色画像データを端末装置７へ順次送信するので、端末装置７で再生モードが通常モードから特徴画像再生モードまたはレッドモードに切り替えられた場合であっても、遅延なく再生して表示することができるので、読影作業を効率的に行うことができる。
【０１２４】
また、本発明の一実施の形態によれば、送信制御部８３４が端末装置７から画像データ群のうち所定の画像データを選択する選択信号を受信した場合、選択信号に応じた画像データを送信するとともに、この画像データと撮影時刻が前後する２つの画像データをそれぞれ端末装置７へ順次送信するので、コマ送りで画像を閲覧する場合であっても、遅延なく再生して表示することができる。
【０１２５】
また、本発明の一実施の形態によれば、送信制御部８３４が選択信号に応じた画像データと時間的に前後する位置の画像データをそれぞれ送信した後に、この選択信号に応じた画像データと２つの画像データのうち撮影時刻が後の画像データより撮影時刻が新しい画像データを一定の比率で端末装置７へ順次送信するので、頻繁に画像の閲覧順を変更するような読影ワークフローであっても、遅延なく再生して表示することができるので、医者等のユーザが読影作業を効率的に行うことができる。
【０１２６】
また、本発明の一実施の形態によれば、端末装置７から症例の画像ファイルを選択する選択信号を受信した場合、この症例の画像ファイルにおける画像データ群を撮影時刻が最も古い画像データから順次送信することなく、判定部８３３が端末装置７から受信した操作信号およびユーザが実施する読影ワークフローを順次判断し、送信制御部８３４が判定部８３３の判定結果に応じて、ユーザが次に必要となる可能性が高い画像データを他の画像データに比して優先的に端末装置７へ送信することによって、医者等のユーザが読影作業を効率的に行うことができる。
【０１２７】
また、本発明の一実施の形態では、送信制御部８３４が端末装置７で選択された症例の平均色バーＴ１に対応する位置の画像データを送信した後に、端末装置７から操作信号を受信していない場合、症例の画像データ群のうち平均色バーＴ１に対応する位置の画像データにおける撮影時刻より撮影時刻が新しい次の画像データを一定の比率で端末装置７へ送信した後に、特徴的な画像データ群および赤色画像データ群を送信していたが、画像データ群を送信する順番は、適宜変更することができる。例えば、送信制御部８３４は、端末装置７からアクセスがあった場合、この端末装置７から送信される端末装置７の識別情報または端末装置７のユーザ情報等に基づいて、ユーザが過去に読影を行った症例の履歴、端末装置７で行ったユーザの操作履歴または読影ワークフローに従って端末装置７へ送信する画像データ群の順番を入れ替えたり、送信順を飛ばしたりして端末装置７へ送信してもよい。もちろん、送信制御部８３４が端末装置７へ送信する画像データ群の順番は、ユーザが端末装置７のタッチパネル７３または操作入力部７４を操作することによって適宜変更することができる。さらに、送信制御部８３４が端末装置７へ送信する画像データ群の順番は、再生モードによらず、平均色バーＴ１に対応する位置の画像データを他の画像データに比して優先的に送信したり、特徴的な画像データ群のうち他の特徴的な画像データより変化量が大きい特徴的な画像データのみを送信したり、キャプチャー済み画像データがある場合、このキャプチャー済み画像データを送信するとともに、このキャプチャー済み画像データの撮影時刻と前後する画像データを一定の比率や枚数で送信したりする等の種々のバリエーションを想定することができるが、これらのバリエーションや送信順は、ユーザが端末装置７のタッチパネル７３または操作入力部７４を操作することによって適宜変更することができるし、端末装置７でユーザが操作した操作履歴等に基づいて適宜変更するようにしてもよい。
【０１２８】
（その他の実施の形態）
〔実再生フレームレートの表示処理〕
次に、ユーザが端末装置７を用いて、ユーザが所望の症例に対し、読影ワークフローに従った読影作業を行う際に、サーバ８が実行する実再生フレームレートの表示処理について説明する。図１６は、サーバ８が実行する実再生フレームレートの表示処理の概要を示すフローチャートである。
【０１２９】
図１６に示すように、まず、実再生フレームレート算出部８３５は、所定時間（例えば１秒）における画像表示枚数情報および設定フレームレート情報の各々を要求する指示信号を端末装置７へ送信する（ステップＳ２０１）。この場合、端末装置７は、所定時間（例えば１秒）に表示部７２に表示した画像の表示枚数に関する画像表示枚数情報および設定フレームレート情報の各々をサーバ８へ送信する。
【０１３０】
続いて、端末装置７から画像表示枚数情報および設定フレームレート情報を受信した場合（ステップＳ２０２：Ｙｅｓ）、サーバ８は、後述するステップＳ２０３へ移行する。これに対して、端末装置７から画像表示枚数情報および設定フレームレート情報を受信していない場合（ステップＳ２０２：Ｎｏ）、サーバ８は、上述したステップＳ２０１へ戻る。
【０１３１】
ステップＳ２０３において、実再生フレームレート算出部８３５は、端末装置７から受信した端末装置７の表示部７２が所定時間（例えば１秒間）において実際に表示した画像の枚数に関する実再生速度情報を端末装置７へ送信する（ステップＳ２０３）。この場合、端末装置７は、図６に示すように、表示制御部７６１が表示部７２に表示させた読影画面Ｂ２の実再生速度における表示領域Ａ４に、例えば２９．５ｆｐｓと表示する。これにより、ユーザは、設定フレームレート（３０ｆｐｓ）と実再生速度のフレームレート（２９．５ｆｐｓ）とを比較することによって、端末装置７の通信状態および表示態様を直感的に把握することができる。
【０１３２】
続いて、所定時間（例えば１秒間）経過した場合（ステップＳ２０４：Ｙｅｓ）、サーバ８は、後述するステップＳ２０５へ移行する。これに対して、所定時間経過していない場合（ステップＳ２０４：Ｎｏ）、サーバ８は、所定時間経過するまで、この判断を続ける。
【０１３３】
その後、端末装置７から症例の読影を終了する指示信号を受信した場合（ステップＳ２０５：Ｙｅｓ）、サーバ８は、本処理を終了する。これに対して、端末装置７から症例の読影を終了する指示信号を受信していない場合（ステップＳ２０５：Ｎｏ）、サーバ８は、ステップＳ２０１へ戻る。
【０１３４】
このようにユーザが端末装置７を用いて症例の読影ワークフローを行っている場合に、端末装置７の表示制御部７６１がサーバ８から受信した実再生速度のフレームと設定フレームレートとを並列させて表示部７２の読影画面Ｂ２に表示する。これにより、ユーザは、設定フレームレートと実再生速度のフレームレートとを比較することによって、端末装置７の通信状態を直感的に把握することができる。
【０１３５】
〔通信速度の算出処理〕
次に、ユーザがサーバ８から端末装置７へ所望の症例の画像データ群をダウンロードする前に、端末装置７の通信情報を確認させるため、サーバ８が実行する通信速度の算出処理について説明する。図１７は、サーバ８が実行する通信速度の算出処理の概要を示すフローチャートである。
【０１３６】
図１７に示すように、まず、通信速度算出部８３６は、ネットワークＮ１００を介して再生フレームレートに関する設定情報を要求する指示信号を端末装置７へ送信する（ステップＳ３０１）。
【０１３７】
続いて、端末装置７から設定情報を受信した場合（ステップＳ３０２：Ｙｅｓ）、サーバ８は、後述するステップＳ３０３へ移行する。これに対して、端末装置７から設定情報を受信していない場合（ステップＳ３０２：Ｎｏ）、サーバ８は、上述したステップＳ３０１へ戻る。
【０１３８】
ステップＳ３０３において、通信速度算出部８３６は、ネットワークＮ１００を介して一定量のデータを端末装置７へ送信する。具体的には、通信速度算出部８３６は、所定のフレームレート、例えば３０ｆｐｓに対応するダミーのデータ量を端末装置７へ送信する。この場合、端末装置７は、サーバ８から最初のデータを受信した時刻から最後のデータを受信した時刻までの時間を計時する。
【０１３９】
続いて、通信速度算出部８３６は、ネットワークＮ１００を介して、ステップＳ３０３で送信したデータを全て受信したデータ取得時間に関するデータ取得時間情報を要求する指示信号を端末装置７へ送信する（ステップＳ３０４）。この場合、端末装置７は、ネットワークＮ１００を介して指示信号を受信した場合、サーバ８から最初のデータを受信した時刻から最後のデータを受信した時刻までの時間をデータ取得時間情報としてサーバ８へ送信する。
【０１４０】
その後、端末装置７からデータ取得時間情報を受信した場合（ステップＳ３０５：Ｙｅｓ）、サーバ８は、後述するステップＳ３０６へ移行する。これに対して、端末装置７からデータ取得時間情報を受信していない場合（ステップＳ３０５：Ｎｏ）、サーバ８は、ステップＳ３０４へ戻る。
【０１４１】
ステップＳ３０６において、通信速度算出部８３６は、ステップＳ３０２で受信した設定情報とステップＳ３０５で受信したデータ取得時間情報とに基づいて、読影時の通信速度情報を算出する。
【０１４２】
続いて、通信速度算出部８３６は、ステップＳ３０６で算出した通信速度情報を端末装置７へ送信する（ステップＳ３０７）。この場合、端末装置７は、表示制御部７６１がサーバ８から受信した通信速度情報に基づいて、通信状況アイコンＷ３の表示態様（インジケータ表示）を変更して表示部７２に表示させる（例えば図５を参照）。これにより、ユーザは、症例の画像データ群をサーバ８からダウンロードする前に、端末装置７の通信状況を直感的に把握することができる。この場合、端末装置７の表示制御部７６１は、サーバ８から受信した通信速度情報が所定の閾値より小さい場合、表示部７２に所定の通信速度を満たしていないことを示す警告を表示部７２に表示させてもよい。
【０１４３】
その後、端末装置７から症例の読影を終了する指示信号を受信した場合（ステップＳ３０８：Ｙｅｓ）、サーバ８は、本処理を終了する。これに対して、端末装置７から症例の読影を終了する指示信号を受信していない場合（ステップＳ３０８：Ｎｏ）、サーバ８は、上述したステップＳ３０１へ戻る。
【０１４４】
このように端末装置７からサーバ８にアクセスがあった場合において、サーバ８は、ユーザがサーバ８から端末装置７へ所望の症例の画像データ群がダウンロードされる前に、通信速度算出部８３６が設定情報とデータ取得時間情報とに基づいて、端末装置７の通信速度を算出し、この通信速度を端末装置７へ送信するので、ユーザは、症例の画像データ群をサーバ８からダウンロードする前に、端末装置７の通信状況を直感的に把握することができる。
【０１４５】
また、通信速度算出部８３６は、端末装置７から症例一覧画面Ｂ１の通信状況アイコンＷ３を選択した指示信号を受信した場合、上述した通信速度の算出処理を行ってもよい。これにより、ユーザは、所望のタイミングで端末装置７の通信状況を把握することができる。
【０１４６】
また、通信速度算出部８３６は、ユーザによって端末装置７で設定されたタイミング、例えば１分毎に上述した通信速度の算出処理を行ってもよい。
【０１４７】
また、通信速度算出部８３６は、所定のタイミング、例えば１分毎に上述した通信速度の算出処理を行ってもよい。また、通信速度算出部８３６は、端末装置７の表示部７２が表示する画像の画面が切り替わった場合（再描画した場合）、端末装置７の電波強度が変わった場合、端末装置７の通信回線が切り替わった場合（例えばＬＴＥから３Ｇに切り替わった場合やＷｉ−ＦｉからＬＴＥに切り替わった場合）、上述した通信速度の算出処理を行ってもよい。さらに、通信速度算出部８３６は、端末装置７の操作入力部７４を介してユーザが設定したタイミングに基づいて、上述した通信速度の算出処理を行ってもよい。
【０１４８】
また、通信速度算出部８３６は、端末装置７の表示部７２が症例一覧画面Ｂ１を表示している場合、上述した通信速度の算出処理を行ってもよい。この場合、端末装置７の表示制御部７６１は、通信速度算出部８３６が上述した通信速度の算出処理を終了するまで、タッチパネル７３がタッチされた場合または操作入力部７４から各種操作を指示する指示信号が入力された場合であっても、症例一覧画面Ｂ１を固定する（遷移しない）。さらに、通信速度算出部８３６が算出した通信速度が所定の閾値より小さい場合、端末装置７の表示制御部７６１は、タッチパネル７３がタッチされた場合または操作入力部７４から各種操作を指示する指示信号が入力された場合であっても、症例一覧画面Ｂ１を固定したり、通信速度を満たしていないことを示す警告を表示部７２に表示させたり、症例一覧画面Ｂ１を読影画面Ｂ２に切り替えた後に警告を表示部７２に表示させたりしてもよい。この場合、端末装置７の通信制御部７６２は、サーバ８からダウンロードする画像データのサイズを小さくするようにしてもよい。これにより、スムーズさに欠けるが、ユーザは、症例を読影に行うことができる。
【０１４９】
〔総データ量の表示処理〕
次に、端末装置７が実行するサーバ８からダウンロードした総データ量の表示処理について説明する。図１８は、端末装置７が実行するサーバ８からダウンロードした総データ量を表示する表示処理の概要を示すフローチャートである。
【０１５０】
図１８に示すように、ユーザがタッチパネル７３または操作入力部７４を操作し、ネットワークＮ１００を介してサーバ８にアクセスすることによって、サーバ８から症例一覧画像データを受信した場合（ステップＳ４０１：Ｙｅｓ）、表示制御部７６１は、症例一覧画像データに対応する症例一覧画面Ｂ１（図５を参照）を表示部７２に表示させる（ステップＳ４０２）。
【０１５１】
続いて、ユーザがタッチパネル７３または操作入力部７４を操作することによって、症例一覧画面Ｂ１から所望の症例が選択されることによって、サーバ８からユーザによって選択された症例の画像ファイルにおける画像データ群を受信した場合（ステップＳ４０３：Ｙｅｓ）、総データ量算出部７６４は、サーバ８から受信した症例の画像ファイル毎のダウンロード量を症例毎に加算して一時記録部７５３に記録する（ステップＳ４０４）。
【０１５２】
その後、ユーザがタッチパネル７３または操作入力部７４を操作することによって、端末装置７から症例の読影を終了する指示信号を受信した場合（ステップＳ４０５：Ｙｅｓ）、表示制御部７６１は、症例一覧画面Ｂ１における症例毎の総ダウンロード量を更新して表示部７２に表示させる（ステップＳ４０６）。これにより、ユーザは、症例毎のダウンロード量を直感的に把握することができる。
【０１５３】
ステップＳ４０１において、サーバ８から症例一覧画像データを受信していない場合（ステップＳ４０１：Ｎｏ）、端末装置７は、この判断を続ける。
【０１５４】
ステップＳ４０３において、サーバ８からユーザによって選択された症例の画像ファイルにおける画像データ群を受信していない場合（ステップＳ４０３：Ｎｏ）、端末装置７は、ステップＳ４０７へ移行する。
【０１５５】
続いて、ユーザがタッチパネル７３または操作入力部７４を操作することによって、ログアウトアイコンＷ８が操作された場合（ステップＳ４０７：Ｙｅｓ）、端末装置７は、本処理を終了する。これに対して、ログアウトアイコンＷ８が操作されていない場合（ステップＳ４０７：Ｎｏ）、端末装置７は、ステップＳ４０２へ戻る。
【０１５６】
ステップＳ４０５において、端末装置７から症例の読影を終了する指示信号を受信していない場合（ステップＳ４０５：Ｎｏ）、端末装置７は、ステップＳ４０２へ戻る。
【０１５７】
このように、総データ量算出部７６４がユーザによって読影を行った際にダウンロードした症例毎のダウンロード量を算出し、表示制御部７６１が総データ量算出部７６４によって算出された症例毎のダウンロード量を症例一覧画面Ｂ１における症例毎に表示するので、ユーザは、症例毎のダウンロード量を直感的に把握することができる。また、総データ量算出部７６４は、月毎に総データ量を自動的にリセットしてもよい。
【０１５８】
なお、上述した表示処理においては、表示制御部７６１がデータ量をＧＢで表示していたが、例えばパケット量（Packet）でデータ量を換算して表示部７２に表示させてもよい。もちろん、表示制御部７６１は、上述した実施の形態において、データ量をＧＢで表示している箇所において、パケット量で表示部７２に表示させてもよい。さらに、表示制御部７６１は、ユーザによる操作入力部７４の操作に応じて、上述したパケット量を通信費（お金）に換算して表示部７２に表示するようにしてもよい。さらにまた、表示制御部７６１は、上述したパケット量が通信会社や契約等によって設定された月毎のパケット量の上限に近づいた場合、表示部７２に警告を表示させたり、表示部７２が表示する画像の色やアイコン等を変化させて表示させたりしてもよい。この場合において、上述したパケット量が通信会社や契約等によって設定された月毎のパケット量の上限を超えたとき、通信制御部７６２は、通信部７１による通信を禁止するようにしてもよい。
【０１５９】
〔データ削減処理〕
次に、サーバ８から端末装置７へ症例の画像データを送信する際に、カプセル型内視鏡３で生成された画像データ群が膨大であるため、サーバ８から端末装置７へ画像データ群を送信した場合、端末装置７の通信量が多大になる。このため、以下においては、サーバ８から端末装置７へ画像データ群を送信する場合であっても、端末装置７の通信費を抑えるために、サーバ８が検査情報管理装置６から送信された画像データ群に対して行うデータ削減処理について説明する。図１９は、サーバ８が検査情報管理装置６から送信された画像データ群に対して行うデータ削減処理の概要を示すフローチャートである。
【０１６０】
図１９に示すように、ネットワークＮ１００を介して検査情報管理装置６から画像データ群を受信した場合（ステップＳ５０１：Ｙｅｓ）、サーバ８は、後述するステップＳ５０２へ移行する。これに対して、ネットワークＮ１００を介して検査情報管理装置６から画像データ群を受信していない場合（ステップＳ５０１：Ｎｏ）、サーバ８は、本処理を終了する。
【０１６１】
ステップＳ５０２において、特徴画像判定部８３２が赤色画像データであると判定した場合（ステップＳ５０２：Ｙｅｓ）、赤色画像データを画像データ記録部８２２に記録する（ステップＳ５０３）。
【０１６２】
続いて、検査情報管理装置６から受信した全ての画像データの判定を終了した場合（ステップＳ５０４：Ｙｅｓ）、サーバ８は、本処理を終了する。これに対して、検査情報管理装置６から送信された全ての画像データの判定を終了していない場合（ステップＳ５０４：Ｎｏ）、サーバ８は、上述したステップＳ５０２へ戻る。
【０１６３】
ステップＳ５０２において、特徴画像判定部８３２が赤色画像データでないと判定した場合（ステップＳ５０２：Ｎｏ）、サーバ８は、後述するステップＳ５０５へ移行する。
【０１６４】
続いて、特徴画像判定部８３２が重複画像データと判定した場合（ステップＳ５０５：Ｙｅｓ）、検査情報管理装置６から受信した画像データ群から削除する（ステップＳ５０６）。ステップＳ５０６の後、サーバ８は、ステップＳ５０４へ移行する。これに対して、特徴画像判定部８３２が重複画像データでないと判定した場合（ステップＳ５０５：Ｎｏ）、サーバ８は、ステップＳ５０３へ移行する。
【０１６５】
図２０は、特徴画像判定部８３２の判定のもと記録部８２に記録する画像の一例を模式的に示す図である。図２０において、横軸は、時間を示す。
【０１６６】
図２０に示すように、特徴画像判定部８３２は、検査情報管理装置６から受信した画像データ群に対して画像Ｐ9および他の画像と重複しない画像Ｐ1、画像Ｐ4、画像Ｐ6、画像Ｐ7、画像Ｐ10の各々の画像データを画像データ記録部８２２に記録する。これにより、記録部８２の記録容量を効率よく使用することができる。
【０１６７】
このようにサーバ８が検査情報管理装置６から受信した画像データ群に対して、重複画像データを削除することで、画像データ記録部８２２の記録容量を効率よく使用することができるうえ、端末装置７へ選択された症例の画像データ群を端末装置７へ送信する場合、画像データ群の総データ量を削減しているため、端末装置７の通信量が抑えることができる。
【０１６８】
また、図２１に示すように、特徴画像判定部８３２は、検査情報管理装置６から受信した画像データ群に対して、平均色バーＴ１に対応する位置の画像、例えば画像Ｐ1、画像Ｐ4、画像Ｐ7、画像Ｐ10の各々の画像データのみを画像データ記録部８２２に記録するようにしてもよい。
【０１６９】
〔端末装置によるデータ削減処理〕
また、端末装置７が画像データ記録部７５２に記録する画像データ群を無線送信によってサーバ８へ送信してもよい（アップロード）。この場合、画像データ群の総データ量が膨大であるため、端末装置７の通信費が多大になる。このため、以下においては、端末装置７からサーバ８へ画像データ群を無線通信によって送信する場合に、端末装置７の通信費を抑えるために、端末装置７がサーバ８へ送信する画像データ群に対して行うデータ削減処理について説明する。図２２は、端末装置７が実行するデータ削減処理の概要を示すフローチャートである。
【０１７０】
図２２に示すように、まず、ネットワークＮ１００を介してサーバ８へアップロードする症例の画像データ群が選択された場合（ステップＳ６０１：Ｙｅｓ）、現在の画像データが赤色画像データであるとき（ステップＳ６０２：Ｙｅｓ）、通信制御部７６２は、現在の画像データをサーバ８へ送信する（ステップＳ６０３）。
【０１７１】
続いて、全ての画像データに対して判定が終了した場合（ステップＳ６０４：Ｙｅｓ）、端末装置７は、本処理を終了する。これに対して、全ての画像データに対して判定が終了していない場合（ステップＳ６０４：Ｎｏ）、端末装置７は、ステップＳ６０２へ戻る。
【０１７２】
ステップＳ６０２において、現在の画像データが赤色画像データでないとき（ステップＳ６０２：Ｎｏ）、端末装置７は、ステップＳ６０５へ移行する。
【０１７３】
続いて、現在の画像データが重複画像データである場合（ステップＳ６０５：Ｙｅｓ）、端末装置７は、ステップＳ６０４へ移行する。これに対して、現在の画像データが重複画像でない場合（ステップＳ６０５：Ｎｏ）、端末装置７は、ステップＳ６０３へ移行する。
【０１７４】
ステップＳ６０１において、ネットワークＮ１００を介してサーバ８へアップロードする症例の画像データ群が選択されていない場合（ステップＳ６０１：Ｎｏ）、端末装置７は、本処理を終了する。
【０１７５】
このように端末装置７が画像データ群に対して、重複画像データを削除することで、サーバ８へ無線通信によって送信する場合、画像データ群の総データ量を削減しているため、端末装置７の通信量を抑えることができる。
【０１７６】
本発明は上述した実施の形態に限定されるものではなく、本発明の要旨の範囲内で種々の変形や応用が可能なことは勿論である。例えば、本発明の説明に用いた内視鏡システム以外にも、ネットワークを介して携帯電話やスマートフォン等に動画を配信するサーバ、ネットワークアタッチトストレージ（Network  Attached  storage）、ビデオカメラ、内視鏡、監視カメラ、顕微鏡のような光学機器を通してネットワークと双方向に通信可能な撮像装置等の機器にも適用できる。
【０１７７】
また、本発明では、一つのサーバから端末装置が画像データ群をダウンロードしていたが、複数のサーバから画像データ群をダウンロードする場合であっても適用することができる。
【０１７８】
また、本明細書において、前述の各動作フローチャートの説明において、便宜上「まず」、「次に」、「続いて」、「その後」等を用いて動作を説明しているが、この順で動作を実施することが必須であることを意味するものではない。
【０１７９】
また、上述した実施の形態における端末装置およびサーバによる各処理の手法、即ち、各フローチャートに示す処理は、いずれもＣＰＵ等の制御部に実行させることができるプログラムとして記憶させておくこともできる。この他、メモリカード（ＲＯＭカード、ＲＡＭカード等）、磁気ディスク、光ディスク（ＣＤ−ＲＯＭ、ＤＶＤ等）、半導体メモリ等の外部記憶装置の記憶媒体に格納して配布することができる。そして、ＣＰＵ等の制御部は、この外部記憶装置の記憶媒体に記憶されたプログラムを読み込み、この読み込んだプログラムによって動作が制御されることにより、上述した処理を実行することができる。
【０１８０】
また、本発明は、上述した実施の形態および変形例そのままに限定されるものではなく、実施段階では、発明の要旨を逸脱しない範囲内で構成要素を変形して具体化することができる。また、上述した実施の形態に開示されている複数の構成要素を適宜組み合わせることによって、種々の発明を形成することができる。例えば、上述した実施の形態および変形例に記載した全構成要素からいくつかの構成要素を削除してもよい。さらに、各実施例および変形例で説明した構成要素を適宜組み合わせてもよい。
【０１８１】
また、明細書または図面において、少なくとも一度、より広義または同義な異なる用語とともに記載された用語は、明細書または図面のいかなる箇所においても、その異なる用語に置き換えることができる。このように、発明の主旨を逸脱しない範囲内において種々の変形や応用が可能である。
【符号の説明】
【０１８２】
１  内視鏡システム
２  被検体
３  カプセル型内視鏡
４  受信アンテナユニット
４ａ〜４ｈ  受信アンテナ
５  受信装置
６  検査情報管理装置
７  端末装置
８  サーバ
６１  クレードル
６２  操作入力デバイス
７１，８１  通信部
７２  表示部
７３  タッチパネル
７４  操作入力部
７５，８２  記録部
７６  端末制御部
８３  サーバ制御部 
７５１，８２１  プログラム記録部
７５２，８２２  画像データ記録部
７５３  一時記録部
７６１  表示制御部
７６２  通信制御部
７６３  記録制御部
７６４  総データ量算出部
８３１  平均色バー生成部
８３２  特徴画像判定部
８３３  判定部
８３４  送信制御部
８３５  実再生フレームレート算出部
８３６  通信速度算出部
Ｎ１００  ネットワーク
【図１】
2017006618.tif 000003
【図２】
2017006618.tif 000004
【図３】
2017006618.tif 000005
【図４】
2017006618.tif 000006
【図５】
2017006618.tif 000007
【図６】
2017006618.tif 000008
【図７】
2017006618.tif 000009
【図８Ａ】
2017006618.tif 000010
【図８Ｂ】
2017006618.tif 000011
【図８Ｃ】
2017006618.tif 000012
【図９】
2017006618.tif 000013
【図１０】
2017006618.tif 000014
【図１１】
2017006618.tif 000015
【図１２】
2017006618.tif 000016
【図１３】
2017006618.tif 000017
【図１４】
2017006618.tif 000018
【図１５】
2017006618.tif 000019
【図１６】
2017006618.tif 000020
【図１７】
2017006618.tif 000021
【図１８】
2017006618.tif 000022
【図１９】
2017006618.tif 000023
【図２０】
2017006618.tif 000024
【図２１】
2017006618.tif 000025
【図２２】
2017006618.tif 000026
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
画像を表示可能な表示部と、各種操作を指示する操作信号の入力を受け付け可能な操作入力部と、を備えた端末装置に対して、ネットワークを介して双方向に通信可能なサーバであって、
複数の被検体の各々を撮影することによって時間的に連続する複数の画像データから構成された画像データ群を複数記録する記録部と、
前記端末装置が入力を受け付けた前記操作信号の内容を判定する判定部と、
前記記録部が記録する複数の前記画像データ群のいずれか一つの送信を要求する要求信号を前記端末装置から受信した場合、ユーザが実施する読影ワークフローと前記判定部が判定した前記操作信号の判定結果とに基づいて、前記表示部によって表示される画像を閲覧するための送信順を決定して前記画像データ群を前記端末装置へ順次送信する送信制御部と、
を備えたことを特徴とするサーバ。
【請求項２】
前記送信制御部は、前記端末装置から前記操作信号を受信していない場合、前記読影ワークフローに従って、前記画像データ群のうち一定の規則に従って生成された画像データを前記端末装置へ順次送信することを特徴とする請求項１に記載のサーバ。
【請求項３】
前記一定の規則は、所定の時間間隔、画像データを撮像した撮影間隔、所定の枚数間隔および前記画像データ群の含まれる複数の特徴的な画像データにおける所定の枚数間隔のいずれか一つ以上であることを特徴とする請求項２に記載のサーバ。
【請求項４】
前記端末装置へ送信する前記一定の規則に従って生成された画像データは、前記被検体を俯瞰的に観察するために生成された平均色バーに対応する位置の画像データであることを特徴とする請求項２に記載のサーバ。
【請求項５】
前記送信制御部は、前記平均色バーに対応する位置の画像データを前記端末装置へ送信した後に、前記平均色バーに対応する位置の画像データにおける撮影時刻より撮影時刻が新しい次の画像データを所定の数だけ前記端末装置へ送信する、または前記平均色バーに対応する位置の画像データの撮影時刻に前後する画像データを所定の数だけ前記端末装置へ送信することを特徴とする請求項４に記載のサーバ。
【請求項６】
前記送信制御部は、前記一定の規則に従って生成された画像データを前記端末装置へ送信した後に、前記画像データ群のうち所定の特徴量を有する特徴的な画像データを前記端末装置へ順次送信することを特徴とする請求項２に記載のサーバ。
【請求項７】
前記送信制御部は、前記一定の規則に従って生成された画像データを前記端末装置へ送信した後に、前記画像データ群のうち赤色を含む画像データを前記端末装置へ順次送信することを特徴とする請求項２に記載のサーバ。
【請求項８】
前記送信制御部は、前記判定部が前記操作信号を前記画像データ群のうち所定の画像データを選択する選択信号と判定した場合、前記選択信号に応じた画像データを送信するとともに、該画像データの撮影時刻と前後する撮影時刻の画像データを一定の比率で前記端末装置へ順次送信することを特徴とする請求項１に記載のサーバ。
【請求項９】
前記送信制御部は、前記選択信号に応じた画像データの撮影時刻より新しい撮影時刻の画像データを、前記選択信号に応じた画像データの撮影時刻より古い撮影時刻の画像データより多く前記端末装置へ送信することを特徴とする請求項８に記載のサーバ。
【請求項１０】
前記送信制御部は、前記判定部が前記操作信号を前記画像データ群のうち特定の条件を満たす画像データを再生する特殊再生モードを指示する指示信号と判定した場合、前記画像データ群のうち前記特殊再生モードに応じて抽出された画像データを前記端末装置へ順次送信することを特徴とする請求項１に記載のサーバ。
【請求項１１】
前記特殊再生モードに応じて抽出された画像データは、前記画像データ群のうち所定の特徴量を有する特徴的な画像データであり、
前記送信制御部は、前記被検体を俯瞰的に観察するために生成された平均色バーに対応する位置の画像データの撮影時刻と近い前記特徴的な画像データを順次送信することを特徴とする請求項１０に記載のサーバ。
【請求項１２】
前記送信制御部は、前記判定部が前記操作信号を前記表示部が当該サーバから送信された画像データに対応する読影画像を表示している際にコマ送りを指示するコマ送り信号と判定した場合、前記読影画像と撮影時刻が前後する２つの画像データをそれぞれ送信するとともに、前記読影画像と前記２つの画像データのうち撮影時刻が後の画像データより撮影時刻が新しい画像データを所定の数だけ前記端末装置へ順次送信することを特徴とする請求項１に記載のサーバ。
【請求項１３】
前記送信制御部は、前記判定部が前記操作信号を前記表示部が当該サーバから送信された画像データに対応する読影画像を表示している際にコマ戻りを指示するコマ戻り信号と判定した場合、前記読影画像と撮影時刻が前後する２つの画像データをそれぞれ送信するとともに、前記読影画像と前記２つの画像データのうち撮影時刻が前の画像データより撮影時刻が古い画像データを所定の数だけ前記端末装置へ順次送信することを特徴とする請求項１に記載のサーバ。
【請求項１４】
前記画像データ群は、被検体に導入され、該被検体の体内を連続的に撮像するカプセル型内視鏡によって生成されたものであることを特徴とする請求項１に記載のサーバ。
【請求項１５】
被検体に導入され、該被検体の体内を連続的に撮像して時間的に連続する複数の画像データで構成された画像データ群を生成するカプセル型内視鏡と、ネットワークを介して前記カプセル型内視鏡が生成した前記画像データ群を外部へ送信する検査情報管理装置と、前記ネットワークを介して前記画像データ群を受信するサーバと、前記ネットワークを介して前記サーバと双方向に通信可能な端末装置と、を備えた内視鏡システムであって、
前記端末装置は、
画像を表示可能な表示部と、
各種操作を指示する操作信号の入力を受け付け可能な操作入力部と、
を備え、
前記サーバは、
複数の被検体の各々を撮影することによって時間的に連続する複数の画像データから構成された画像データ群を複数記録する記録部と、
前記端末装置が入力を受け付けた前記操作信号の内容を判定する判定部と、
前記記録部が記録する複数の前記画像データ群のいずれか一つの送信を要求する要求信号を前記端末装置から受信した場合、ユーザが実施する読影ワークフローと前記判定部が判定した前記操作信号の判定結果とに基づいて、前記表示部によって表示される画像を閲覧するための送信順を決定して前記画像データ群を前記端末装置へ順次送信する送信制御部と、
を備えたことを特徴とする内視鏡システム。
【請求項１６】
画像を表示可能な表示部と、各種操作を指示する操作信号の入力を受け付け可能な操作入力部と、を備えた端末装置に対して、ネットワークを介して双方向に通信可能なサーバが実行する送信方法であって、
前記端末装置が入力を受け付けた前記操作信号の内容を判定する判定ステップと、
前記端末装置から記録部が記録する複数の画像データ群のいずれか一つの送信を要求する要求信号を受信した場合、ユーザが実施する読影ワークフローと前記判定ステップで判定した前記操作信号の判定結果とに基づいて、前記表示部によって表示される画像を閲覧するための送信順を決定して前記画像データ群を前記端末装置へ順次送信する送信制御ステップと、
を含むことを特徴とする送信方法。
【請求項１７】
画像を表示可能な表示部と、各種操作を指示する操作信号の入力を受け付け可能な操作入力部と、を備えた端末装置に対して、ネットワークを介して双方向に通信可能なサーバに、
前記端末装置が入力を受け付けた前記操作信号の内容を判定する判定ステップと、
前記端末装置から記録部が記録する複数の画像データ群のいずれか一つの送信を要求する要求信号を受信した場合、ユーザが実施する読影ワークフローと前記判定ステップで判定した前記操作信号の判定結果とに基づいて、前記表示部によって表示される画像を閲覧するための送信順を決定して前記画像データ群を前記端末装置へ順次送信する送信制御ステップと、
を実行させることを特徴とするプログラム。
【国際調査報告】
2017006618.tif 000027
2017006618.tif 000028
2017006618.tif 000029
2017006618.tif 000030